(57)【要約】      （修正有）【課題】ユーザによる目標湿度の設定変更をなくして、ユーザの利便性を向上させる。【解決手段】調湿装置は、目標湿度範囲が設定される設定部と、除湿動作と加湿動作とを選択的に実行するコントローラとを備えている。このコントローラでは、室内の湿度が設定部に設定された目標湿度範囲の上限値よりも高くなると、該上限値を目標湿度とした除湿動作が実行され、室内の湿度が設定部に設定された目標湿度範囲の下限値よりも低くなると、該下限値を目標湿度とした加湿動作が実行される。【選択図】図１８
2014085074.tif 000002
【特許請求の範囲】
【請求項１】
空気を除湿する除湿部（33a,33b）と、
空気を加湿する加湿部（33a,33b）と、
室内の湿度が目標湿度になるように、上記除湿部（33a,33b）で除湿された空気を室内へ供給する除湿動作と上記加湿部で加湿された空気を室内へ供給する加湿動作とを選択的に行う調湿運転を制御する制御部（150）とを備えた調湿装置であって、
複数の湿度範囲の中から目標湿度範囲が設定される設定部（120）を備え、
上記制御部（150）は、室内の湿度が上記目標湿度範囲の上限値よりも高くなると、該上限値を目標湿度として除湿動作を行い、室内の湿度が上記目標湿度範囲の下限値よりも低くなると、該下限値を目標湿度として加湿動作を行う
ことを特徴とする調湿装置。
【請求項２】
請求項１において、
上記設定部（120）の複数の湿度範囲は、上限値と下限値との差がそれぞれ異なり、その差が大きい程、その上限値が高くその下限値が低い
ことを特徴とする調湿装置。
【請求項３】
請求項２において、
上記設定部（120）は、上記複数の湿度範囲の内、上限値と下限値との差が最も大きい湿度範囲が目標湿度範囲として設定される専用ボタンを有している
ことを特徴とする調湿装置。
【請求項４】
請求項１乃至３の何れか１項において、
上記設定部（120）は、ユーザが押す毎に、上記複数の湿度範囲の間で湿度範囲が順に周期的に切り換わって目標湿度範囲が設定される設定ボタン（124）を有している
ことを特徴とする調湿装置。
【請求項５】
請求項１乃至４の何れか１項において、
上記除湿部（33a,33b）及び加湿部（33a,33b）は、冷凍サイクルを行う冷媒回路（30）に接続されて吸着剤が担持された２つの吸着熱交換器（33a,33b）によって構成され、
上記冷媒回路（30）は、冷媒の循環方向を切り換えて、上記２つの吸着熱交換器（33a,33b）で吸着剤の吸着動作と再生動作とを交互に行う切換機構（32）を有し、
上記制御部（150）は、吸着動作中の上記吸着熱交換器（33a,33b）で除湿された空気を室内へ供給する除湿動作と、再生動作中の上記吸着熱交換器（33a,33b）で加湿された空気を室内へ供給する加湿動作とを選択的に行う調湿運転を制御する
ことを特徴とする調湿装置。
【発明の詳細な説明】
【技術分野】
【０００１】
本発明は、室内を調湿する調湿装置に関し、特に、ユーザの利便性向上策に係るものである。
【背景技術】
【０００２】
従来より、除湿または加湿された空気を室内へ供給して室内を調湿する調湿装置が知られている。例えば、特許文献１には、この種の調湿装置が開示されている。この調湿装置は、圧縮機、四方切換弁、及び２つの吸着熱交換器が接続された冷媒回路を備え、冷媒を循環させると、一方の吸着熱交換器が蒸発器として機能し、他方の吸着熱交換器が凝縮器として機能するように構成されている。蒸発器となる吸着熱交換器では、冷媒によって吸着剤が冷却され、該吸着剤へ空気中の水分を吸着させる吸着動作が行われる。一方、凝縮器となる吸着熱交換器では、冷媒によって吸着剤が加熱され、該吸着剤から水分を空気中へ脱離させる再生動作が行われる。そして、四方切換弁で冷媒回路内の冷媒の循環方向を切り換えることによって、２つの吸着熱交換器の間で、再生動作と吸着動作とが交互に繰り返し行われる。
【０００３】
この調湿装置では、除湿運転と加湿運転とが行われる。除湿運転では、室外空気（OA）が吸着動作を行う吸着熱交換器へと導かれ、該吸着熱交換器で除湿された空気が室内へ供給される。この時、室内空気（RA）は、再生動作を行う吸着熱交換器へと導かれ、該吸着熱交換器の吸着剤から脱離した水分と共に、室外へ排出される。
【０００４】
一方、加湿運転では、室外空気（OA）が再生動作を行う吸着熱交換器へと導かれ、該吸着熱交換器で加湿された空気が室内へ供給される。この時、室内空気（RA）は、吸着動作を行う吸着熱交換器へと導かれ、該吸着熱交換器の吸着剤へ水分を吸着させた後、室外へ排出される。
【先行技術文献】
【特許文献】
【０００５】
【特許文献１】特開２００９−９２２９９号公報
【発明の概要】
【発明が解決しようとする課題】
【０００６】
従来の調湿装置では、上記除湿運転と上記加湿運転とを選択的に実行する調湿運転を行う場合がある。調湿運転では、例えば、高湿である夏場に、室内の湿度が所定の目標湿度よりも高くなると除湿運転が実行され、低湿である冬場に、室内の湿度が所定の目標湿度よりも低くなると加湿運転が実行される。
【０００７】
しかし、従来の調湿運転では、夏場の除湿運転の目標湿度を高く冬場の加湿運転の目標湿度を低くして、室内の湿度を所定範囲内に保ちたい場合に、ユーザは、除湿運転と加湿運転との切り換え時期に目標湿度を設定変更しなければならず、ユーザにとって利便性が悪いという問題があった。
【０００８】
本発明は、かかる点に鑑みてなされたものであり、調湿運転を行って室内の湿度を所定範囲内に保つ場合に、ユーザによる目標湿度の設定変更を無くして、ユーザの利便性を向上させることを目的としている。
【課題を解決するための手段】
【０００９】
第１の発明は、空気を除湿する除湿部（33a,33b）と、空気を加湿する加湿部（33a,33b）と、室内の湿度が目標湿度になるように、上記除湿部（33a,33b）で除湿された空気を室内へ供給する除湿動作と上記加湿部で加湿された空気を室内へ供給する加湿動作とを選択的に行う調湿運転を制御する制御部（150）とを備えた調湿装置を対象としている。そして、複数の湿度範囲の中から目標湿度範囲が設定される設定部（120）を備え、上記制御部（150）は、室内の湿度が上記目標湿度範囲の上限値よりも高くなると、該上限値を目標湿度として除湿動作を行い、室内の湿度が上記目標湿度範囲の下限値よりも低くなると、該下限値を目標湿度として加湿動作を行うものである。
【００１０】
上記第１の発明では、調湿運転を行う際、ユーザによって目標湿度範囲が設定される。そして、調湿運転を開始して、室内の湿度が目標湿度範囲の上限値よりも高くなると、その上限値を目標湿度とした除湿動作が実行され、室内の湿度が目標湿度範囲の下限値よりも低くなると、その下限値を目標湿度とした加湿動作が実行される。
【００１１】
このように、上記第１の発明では、調湿運転中にユーザが目標湿度を設定変更することなく、室内の湿度が目標湿度範囲内（上限値と下限値の間）に保たれる。
【００１２】
第２の発明は、上記第１の発明において、上記設定部（120）の複数の湿度範囲は、上限値と下限値との差がそれぞれ異なり、その差が大きい程、その上限値が高くその下限値が低いものである。
【００１３】
上記第２の発明では、ユーザが目標湿度範囲として選択する湿度範囲が広い（湿度範囲の上限値と下限値との差が大きい）程、上限値である除湿動作の目標湿度が高く、下限値である加湿動作の目標湿度が低くなる。そして、除湿動作及び加湿動作の各動作時に、室内の湿度と目標湿度との差が小さくなって、室内の湿度を目標湿度にするのに要する運転出力が低く抑えられ、その結果、消費電力が低減される。
【００１４】
このように、上記第２の発明では、ユーザが目標湿度範囲として選択する湿度範囲が広い程、低消費電力の調湿運転が行われる。そのため、ユーザは、比較的広い湿度範囲を選択して省エネ性（消費電力の低減）を重視した調湿運転を行うか、比較的狭い湿度範囲を選択して室内の快適性を重視した調湿運転を行うかを選ぶことができる。
【００１５】
第３の発明は、上記第２の発明において、上記設定部（120）は、上記複数の湿度範囲の内、上限値と下限値との差が最も大きい湿度範囲が目標湿度範囲として設定される専用ボタンを有しているものである。
【００１６】
上記第３の発明では、調湿運転を行う際、ユーザが上記専用ボタンを押すと、上限値が最も高く下限値が最も低い湿度範囲が目標湿度範囲として設定される。そして、調湿運転中に、目標湿度が最も高くて運転出力が最も低い省エネモードの除湿動作と、目標湿度が最も低くて運転出力が最も低い省エネモードの加湿動作とが選択的に実行される。
【００１７】
第４の発明は、上記第１乃至第３の何れか１の発明において、上記設定部（120）は、ユーザが押す毎に、上記複数の湿度範囲の間で湿度範囲が順に周期的に切り換わって目標湿度範囲が設定される設定ボタン（124）を有しているものである。
【００１８】
ユーザは、除湿動作の目標湿度が高く加湿動作の目標湿度が低い湿度範囲や、除湿動作の目標湿度が低く加湿動作の目標湿度が高い湿度範囲等の中から１つを選択して目標湿度範囲を設定する。このユーザによる湿度範囲の選択を、例えば、カーソルボタンで行うと、カーソルボタンを押す毎に目標湿度が高くなる又は低くなることをユーザに連想させてしまい、設定上の誤解を招く虞がある。しかし、上記第４の発明では、ユーザによる湿度範囲の選択を、湿度範囲が周期的に切り換わるサイクリックボタンで行うため、設定上の誤解が回避される。
【００１９】
第５の発明は、上記第１乃至第４の何れか１の発明において、上記除湿部（33a,33b）及び加湿部（33a,33b）は、冷凍サイクルを行う冷媒回路（30）に接続されて吸着剤が担持された２つの吸着熱交換器（33a,33b）によって構成され、上記冷媒回路（30）は、冷媒の循環方向を切り換えて、上記２つの吸着熱交換器（33a,33b）で吸着剤の吸着動作と再生動作とを交互に行う切換機構（32）を有し、上記制御部（150）は、吸着動作中の上記吸着熱交換器（33a,33b）で除湿された空気を室内へ供給する除湿動作と、再生動作中の上記吸着熱交換器（33a,33b）で加湿された空気を室内へ供給する加湿動作とを選択的に行う調湿運転を制御するものである。
【００２０】
上記第５の発明では、２つの吸着熱交換器の間で吸着動作と再生動作とを交互に行いながら、長時間の連続した調湿運転が容易に行われる。そして、長時間の連続運転中でも、ユーザは目標湿度を設定変更することなく、室内の湿度が目標湿度範囲内（上限値と下限値の間）に保たれる。
【発明の効果】
【００２１】
本発明によれば、調湿運転を行う際、ユーザによって目標湿度範囲を設定するようにした。そして、調湿運転を開始して、室内の湿度が目標湿度範囲の上限値よりも高くなると、その上限値を目標湿度とした除湿動作を実行し、室内の湿度が目標湿度範囲の下限値よりも低くなると、その下限値を目標湿度とした加湿動作を実行するようにした。これにより、調湿運転中にユーザが目標湿度を設定変更することなく、室内の湿度を目標湿度範囲内（上限値と下限値の間）に保つことができ、ユーザの利便性を向上させることができる。
【００２２】
また、第２の発明によれば、ユーザが目標湿度範囲として選択する湿度範囲が広い（湿度範囲の上限値と下限値との差が大きい）程、調湿運転時の運転出力が低くなるようにした。これにより、ユーザは、比較的広い湿度範囲を選択して省エネ性（消費電力の低減）を重視した調湿運転を行うか、比較的狭い湿度範囲を選択して室内の快適性を重視した調湿運転を行うかを選ぶことができる。
【００２３】
また、第３の発明によれば、各動作の運転出力が最も低い省エネモードの調湿運転を設定するための専用ボタンを設けるようにした。これにより、ユーザは、例えば外出時に、室内の防カビ対策のために、省エネモードの調湿運転をワンタッチで設定することができる。
【００２４】
また、第４の発明によれば、ユーザによる湿度範囲の選択をサイクリックボタンである設定ボタン（124）で行うようにした。ユーザによる湿度範囲の選択を、例えば、カーソルボタンで行うと、カーソルボタンを押す毎に目標湿度が高くなる又は低くなることをユーザに連想させてしまい、設定上の誤解を招く虞がある。しかし、第４の発明では、ユーザによる湿度範囲の選択をサイクリックボタンで行うため、設定上の誤解を回避することができる。
【００２５】
また、第５の発明によれば、冷媒回路（30）の冷媒の循環方向を切り換えることによって、冷媒回路（30）に接続された２つの吸着熱交換器（33a,33b）の間で吸着動作と再生動作とを交互に行うようにした。そして、吸着動作中の吸着熱交換器（33a,33b）で除湿された空気を室内へ供給する除湿動作と再生動作中の吸着熱交換器（33a,33b）で加湿された空気を室内へ供給する加湿動作とを選択的に行う調湿運転を行うようにした。これにより、長時間の調湿運転を容易に行うことができ、長時間の調湿運転中でも、ユーザは目標湿度を設定変更することなく、室内の湿度を目標湿度範囲内（上限値と下限値の間）に保つことができる。
【図面の簡単な説明】
【００２６】
【図１】図１は、実施形態に係る調湿装置のケーシング構造を表した斜視図である。
【図２】図２は、実施形態に係る調湿装置のフレーム構造を表した斜視図である。
【図３】図３は、実施形態に係る調湿装置を模式的に表した構成図であり、図３(Ａ)は、調湿装置を上面から、図３(Ｂ)は、調湿装置の内部構造を前面から、図３(Ｃ)は、調湿装置の内部構造を左側面から、図３(Ｄ)は、調湿装置の内部構造を右側面から、それぞれ視たものである。
【図４】図４は、実施形態に係る調湿装置の模式的に表した構成図であり、図４(Ａ)は、調湿装置の内部構造を図３(Ａ)のＹ−Ｙ断面から視たものであり、図４(Ｂ)は、調湿装置の内部構造を図４(Ａ)のＺ−Ｚ断面から視たものである。
【図５】図５は、実施形態に係る調湿装置の内部構造を示した組立斜視図であり、特に、下部空間の内部構造を表したものである。
【図６】図６は、実施形態に係る調湿装置の内部構造を示した組立斜視図であり、特に、レヒート熱交換器の周辺構造を表したものである。
【図７】図７は、実施形態に係る調湿装置の内部構造を示した組立斜視図であり、特に、下側ダンパの周辺構造を表したものである。
【図８】図８は、実施形態に係る調湿装置の内部構造を示した組立斜視図であり、特に、上側ダンパの周辺構造を表したものである。
【図９】図９は、実施形態に係る吸着熱交換器の斜視図に、その周囲の調湿室を仮想線を用いて付加したものである。
【図１０】図１０は、実施形態に係る調湿装置の内部構造を示した斜視図であり、特に上部空間の内部構造を表したものである。
【図１１】図１１は、実施形態に係る調湿装置の冷媒回路の概略構成図である。
【図１２】図１２は、実施形態に係る調湿装置のリモコンの概略構成図である。
【図１３】図１３は、実施形態に係るリモコンの設定部に目標湿度範囲として設定可能な湿度範囲Ａ、Ｂ、Ｃを示す空気線図である。
【図１４】図１４は、実施形態に係る調湿装置の除湿運転時（調湿運転の除湿動作時）の第１動作、又は加湿運転時（調湿運転の加湿動作時）の第１動作の空気流れを示した、図３相当図である。
【図１５】図１５は、実施形態に係る調湿装置の除湿運転時（調湿運転の除湿動作時）の第１動作、又は加湿運転時（調湿運転の加湿動作時）の第１動作の空気流れを示した、図４相当図である。
【図１６】図１６は、実施形態に係る調湿装置の除湿運転時（調湿運転の除湿動作時）の第２動作、又は加湿運転時（調湿運転の加湿動作時）の第２動作の空気流れを示した、図３相当図である。
【図１７】図１７は、実施形態に係る調湿装置の除湿運転時（調湿運転の除湿動作時）の第２動作、又は加湿運転時（調湿運転の加湿動作時）の第２動作の空気流れを示した、図４相当図である。
【図１８】図１８は、実施形態に係る調湿装置の調湿運転時における室内湿度の時間経過を示すグラフである。
【発明を実施するための形態】
【００２７】
本発明の実施形態について説明する。なお、以下に示す実施形態は、本質的に好ましい例示であって、本発明、その適用物、あるいはその用途の範囲を制限することを意図するものではない。
【００２８】
本発明の実施形態に係る調湿装置（10）は、室内の床面に設置されて室内の湿度調節を行う床置き型の調湿装置である。調湿装置（10）は、例えば衣服等が収納されるクローゼットの収納空間等に設置される。
【００２９】
調湿装置（10）の構成について図面を参照しながら説明する。なお、以下の説明における「上」「下」「右」「左」「前」「後」の各方向を表す記載は、原則として、図１に示す調湿装置（10）を前面側から視た場合を基準とする。また、図３及び図４は、調湿装置（10）を模式的に表したものであり、図３(Ａ)は調湿装置（10）の上面を、図３(Ｂ)は調湿装置（10）の前側の内部構造を、図３(Ｃ)は調湿装置（10）の左側の内部構造を、図３(Ｄ)は調湿装置の右側の内部構造をそれぞれ表している。また、図４(Ａ）は、図３(Ａ)の調湿装置の内部構造をＹ−Ｙ断面から視たものであり、図４(Ｂ)は、図４(Ａ)の調湿装置の内部構造をＺ−Ｚ断面から視たものである。
【００３０】
〈ケーシング構造〉
図１に示すように、調湿装置（10）は、縦長の直方体形の箱形のケーシング（11）を備えている。ケーシング（11）は、矩形板状の底板（12）及び天板（13）と、底板（12）及び天板（13）のそれぞれの四辺に対応する４枚の矩形板状のパネル（14,15,16,17）とを備えている。これらのパネル（14,15,16,17）は、前面側の前面パネル（14）と、後面側の後面パネル（15）と、右側の右側面パネル（16）と、左側の左側面パネル（17）とで構成される。ケーシング（11）では、底板（12）、天板（13）、後面パネル（15）、右側面パネル（16）、及び左側面パネル（17）が、前側に開放面を形成したケーシング本体（11a）を構成する。前面パネル（14）は、ビス等の締結部材を介してケーシング本体（11a）に対して着脱自在に構成される。また、ケーシング（11）は、後面パネル（15）が室内の壁に接するように設置される。
【００３１】
前面パネル（14）は、ケーシング（11）の下部空間（S1）を覆う下部パネル（14a）と、ケーシング（11）の上部空間（S3）を覆う上部パネル（14b）と、ケーシング（11）の中間空間（S2）を覆う中間パネル（14c）とによって構成される。更に、下部パネル（14a）の左下側の隅部には、フィルタメンテナンスパネル（14d）が設けられる。前面パネル（14）では、これらのパネル（14a,14b,14c,14d）が、それぞれ個別に取り外し可能に構成される。
【００３２】
天板（13）には、４つのダクト接続口（18）が取り付けられている。具体的に、天板（13）では、前側右寄りに給気接続口（18a）が設けられ、後側右寄りに排気接続口（18b）が設けられ、後側左寄りに外気接続口（18c）が設けられ、前側左寄りに内気接続口（18d）が設けられる。給気接続口（18a）及び内気接続口（18d）は、それぞれダクトを介して室内空間と連通し、排気接続口（18b）及び外気接続口（18c）は、それぞれダクトを介して室外空間と連通する。つまり、調湿装置（10）では、室内空間と繋がる給気接続口（18a）及び内気接続口（18d）が、ケーシング（11）の前側に集約して配置され、室外空間と繋がる排気接続口（18b）及び外気接続口（18c）が、ケーシング（11）の後側に集約して配置される。外気接続口（18c）には室外空気（OA）が吸い込まれ、内気接続口（18d）には、室内空気（RA）が吸い込まれる。給気接続口（18a）からは、室内へ供給空気（SA）が吹き出され、排気接続口（18b）からは、室外へ排出空気（EA）が吹き出される。
【００３３】
〈フレーム構造〉
図２に示すように、ケーシング（11）の内部には、底板（12）の四隅に対応する４本の縦フレーム（支柱部材）（21）が設けられる。これらの縦フレーム（21）は、前側右寄りの第１縦フレーム（21a）と、後側右寄りの第２縦フレーム（21b）と、後側左寄りの第３縦フレーム（21c）と、前側左寄りの第４縦フレーム（21d）とで構成される。各縦フレーム（21）は、ケーシング（11）の高さ方向の中間部よりもやや上側寄りまで垂直に延びている。つまり、ケーシング（11）の内部では、天板（13）から各縦フレーム（21）の上端までの間に底板（12）と直に連結する縦フレームが設けられてない。
【００３４】
各縦フレーム（21）の上部には、水平方向に延びる４本の横フレーム（22）（梁部材）が架橋される。これらの横フレーム（22）は、第１縦フレーム（21a）と第２縦フレーム（21b）との間の第１横フレーム（22a）と、第２縦フレーム（21b）と第３縦フレーム（21c）との間の第２横フレーム（22b）と、第３縦フレーム（21c）と第４縦フレーム（21d）との間の第３横フレーム（22c）と、第４縦フレーム（21d）と第１縦フレーム（21a）との間の第４横フレーム（22d）とで構成される。第２、第３、第４横フレーム（22b,22c,22d）は、対応する各縦フレーム（21）の上端部に連結される。これに対し、第１横フレーム（22a）は、第１及び第２縦フレーム（21a,21b）の上端よりもやや低い部位に連結される。
【００３５】
横フレーム（22）の下側には、水平に延びる３本の中間フレーム（23）が設けられる。これらの中間フレーム（23）は、第１横フレーム（22a）の下側に形成される第１中間フレーム（23a）と、第２横フレーム（22b）の下側に形成される第２中間フレーム（23b）と、第３横フレーム（22c）の下側に形成される第３中間フレーム（23c）とで構成される。
【００３６】
縦フレーム（21）、横フレーム（22）、及び中間フレーム（23）は、調湿装置（10）の構成部品のうち比較的重量が大きな重量物（詳細は後述するダンパ仕切板（45,48）や吸着熱交換器（33a,33b））の荷重が作用して、これらを支持する支持部材を構成している。
【００３７】
〈ケーシングの内部空間〉
図２に示すように、ケーシング（11）の内部は、下部パネル（14a）の背面側に形成される下部空間（S1）と、中間パネル（14c）の背面側に形成される中間空間（S2）と、上部パネル（14b）の背面側に形成される上部空間（S3）とに大別できる。
【００３８】
〈下部空間の構成部品〉
図５及び図６に示すように、下部空間（S1）には、左側面パネル（17）に沿うように下部区画部材（41）が設置される。下部区画部材（41）は、ポリスチレン等の樹脂材料で構成され、上側及び下側が開放された枠状に形成される。下部区画部材（41）は、下部空間（S1）を左右に仕切る下部仕切部（41a）と、第３縦フレーム（21c）に近接して配置される横断面が略矩形状の小径筒部（41b）と、第４縦フレーム（21d）に近接して配置される横断面が略矩形状の大径筒部（41c）とを有している。小径筒部（41b）の内部には、外気流入路（61）が区画される。大径筒部（41c）の内部には、レヒート室（63）が区画される。外気流入路（61）とレヒート室（63）とは、連通口（62）を介して互いに連通する（図６を参照）。
【００３９】
レヒート室（63）には、下部区画部材（41）と一体に形成された上側支持板（41d）が設けられる。上側支持板（41d）は、大径筒部（41c）の左側の内壁に連続し、底板（12）と平行となるように水平な状態で支持される。レヒート室（63）では、上側支持板（41d）の下側に連通口（62）に連続する下部外気流路（63a）が形成され、上側支持板（41d）の上側に下部外気流路（63a）に連続する上部外気流路（63b）が形成される（図３(Ｂ)及び図６を参照）。つまり、レヒート室（63）では、下部外気流路（63a）の流入側から上部外気流路（63b）の流出側に亘って、縦断面が略コの字状（Ｕの字状）の空気流路が形成される。
【００４０】
図６等に示すように、下部外気流路（63a）には、上流側から下流側に向かって順に、虫取りフィルタ（26）、プリーツフィルタ（27）、及びレヒートユニット（28）が設けられる。
【００４１】
虫取りフィルタ（26）は、室外空気中の虫や比較的大きな埃等を捕捉する網状の部材である。プリーツフィルタ（27）は、虫取りフィルタ（26）よりも細かい目を有する空気清浄用のフィルタであり、室外空気中の比較的小さな塵埃を捕捉する。下部区画部材（41）には、上述したフィルタメンテナンスパネル（14d）の背面側にメンテナンス蓋（41e）が設けられる（図５を参照）。メンテナンス蓋（41e）は、虫取りフィルタ（26）及びプリーツフィルタ（27）のメンテナンス口を開閉自在に構成される。即ち、フィルタメンテナンスパネル（14d）を取り外し、次いでメンテナンス蓋（41e）を開放すると、虫取りフィルタ（26）やプリーツフィルタ（27）の前端部がケーシング本体（11a）の外部へ露出される。  
【００４２】
レヒートユニット（28）は、枠体（29）と、該枠体（29）の内部に固定されるレヒート熱交換器（35）とを有している。枠体（29）は、一対のサイドステー（29a）と、内壁が斜め下方を向くように一対のサイドステー（29a）に狭持される枠体本体（29b）とを有している。枠体本体（29b）には、斜めに傾斜した開口面（29c）が形成され、この開口面（29c）に沿ってレヒート熱交換器（35）が保持される。レヒート熱交換器（35）は、冷媒によって室外空気を加熱する加熱熱交換器を構成する。
【００４３】
図５に示すように、下部空間（S1）では、その右側の略半分（下部区画部材（41）の外側）に機械室（60）が区画される。機械室（60）では、前面パネル（14）の背面側に電装品箱（90）が設置される。電装品箱（90）には、圧縮機（31）のモータの電源供給回路のプリント基板や、このプリント基板上の回路に電気的に接続するリアクトル等の電装品が収容される。また、機械室（60）には、電装品箱（90）の背面側に圧縮機（31）や四方切換弁（32）が設置される。つまり、前面パネル（14）の下部パネル（14a）を取り外すと、電装品箱（90）がケーシング本体（11a）の外部に露出される。更に電装品箱（90）を外部へ取り出すと、圧縮機（31）や四方切換弁（32）がケーシング本体（11a）の外部へ露出される。
【００４４】
〈中間空間〉
中間空間（S2）には、下側から上側に向かって順に、第１中間区画部材（43）、第２中間区画部材（44）、第３中間区画部材（47）が設けられる。これらの中間区画部材（43,44,47）は、いずれも一体に成型されたポリスチレン等の樹脂部材である。
【００４５】
図７に示すように、第１中間区画部材（43）は、機械室（60）の上側開放部を閉塞している。第１中間区画部材（43）の上面には、矩形状に突設された枠部（43a）と、該枠部（43a）の左右外方に形成される一対の凹溝（43c,43c）とが形成される。枠部（43a）は、第１中間区画部材（43）の前後に亘って形成される。枠部（43a）の内側には、調湿室（66a,66b）で発生した凝縮水を受けるための受水部（43b）が形成される。受水部（43b）は、第１中間区画部材（43）の前後に亘って形成される。受水部（43b）の底面は、水平面よりもやや斜め上方を向くように傾斜している。つまり、受水部（43b）に溜まった水は、傾斜した底面に沿って前方へと導かれる。凹溝（43c,43c）は、枠部（43a）の左右の側壁に沿って前後方向に延びている。
【００４６】
図８に示すように、第２中間区画部材（44）は、第１中間フレーム（23a）と第２中間フレーム（23b）とに支持されながら、第１中間区画部材（43）の上側に所定の間隔を置いて配置される。第２中間区画部材（44）には、第１中間区画部材（43）の各凹溝（43c,43c）に対応する位置に、前後方向に延びる凹溝（44a,44a）が形成される。
【００４７】
一方、図７に示すように、第１中間区画部材（43）と第２中間区画部材（44）との間には、２枚の下側ダンパ仕切板（45）と、１枚の横仕切板（46）とが形成される。２枚の下側ダンパ仕切板（45）及び１枚の横仕切板（46）は、各々の板厚方向が水平となるような、縦置きの配置となっている。２枚の下側ダンパ仕切板（45）は、外気ダンパ仕切板（45a）と排気ダンパ仕切板（45b）とで構成される。
【００４８】
外気ダンパ仕切板（45a）は、その下端部が第１中間区画部材（43）の左側の凹溝（43c）に嵌り込み、その上端部が第２中間区画部材（44）の左側の凹溝（44a）に嵌り込んでいる。排気ダンパ仕切部材（45b）は、その下端部が第１中間区画部材（43）の右側の凹溝（43c）に嵌り込み、その上端部が第２中間区画部材（44）の左側の凹溝（44a）に嵌り込んでいる。下側ダンパ仕切板（45）の前端部は、前面パネル（14）の背面側に位置している。つまり、前面パネル（14）を取り外すと、下側ダンパ仕切板（45）の前端部がケーシング本体（11a）の外部へ露出される。前面パネル（14）を取り外した状態では、下側ダンパ仕切板（45）が、各凹溝（43c,44a）に沿って前後に引き出し可能となる。
【００４９】
図３、図７、図８に示すように、外気ダンパ仕切板（45a）の左側には、レヒート室（63）と連通する中間外気流路（64）が前後に延びて形成される。外気ダンパ仕切板（45a）には、前寄りに第１ダンパ（D1）が、後寄りに第２ダンパ（D2）が設けられる。排気ダンパ仕切板（45b）の右側には、中間排気流路（65）が前後に延びて形成される。排気ダンパ仕切板（45b）には、前寄りに第３ダンパ（D3）が、後寄りに第４ダンパ（D4）が設けられる。
【００５０】
図７や図９に示すように、外気ダンパ仕切板（45a）と排気ダンパ仕切板（45b）の間の空間は、横仕切板（46）によって前後に２つの調湿室（66）に仕切られている。これらの調湿室（66）は、前寄りの空間が第１調湿室（66a）を、後寄りの空間が第２調湿室（66b）を構成する。第１調湿室（66a）は、第１ダンパ（D1）及び第３ダンパ（D3）に対応する位置に形成され、第２調湿室（66b）は、第２ダンパ（D2）及び第４ダンパ（D4）に対応する位置に形成される。第１調湿室（66a）及び第２調湿室（66b）は、第２中間区画部材（44）の内部に亘って形成される。
【００５１】
２つの吸着熱交換器（33a,33b）は、第１調湿室（66a）に収容される第１吸着熱交換器（33a）と、第２調湿室（66b）に収容される第２吸着熱交換器（33b）とによって構成されている。これら２つの吸着熱交換器（33a,33b）は、クロスフィン型のフィンアンドチューブ式の熱交換器本体（34）の表面に吸着剤を担持したものであって、本発明の除湿部と加湿部とを構成している。
【００５２】
各吸着熱交換器（33a,33b）の熱交換器本体（34）は、銅製の伝熱管（34a）と、アルミニウム製の多数のフィン（34b）とを有している。伝熱管（34a）は、直管部とＵ字部とが交互に連続して蛇行状に形成される。フィン（34b）は、縦長の板状に形成され、その厚さ方向に伝熱管（34a）の直管部が貫通している。つまり、多数のフィン（34b）は、伝熱管（34a）の直管部の軸方向に沿って平行に配列される。
【００５３】
吸着剤は、多数のフィン（34b）及び伝熱管（34a）の表面に担持されている。吸着剤と空気との界面では、空気中の水分が吸着されるか、または、吸着された水分が空気中へ脱離する（吸着剤が再生される）。吸着剤としては、ゼオライト、シリカゲル、活性炭、親水性の官能基を有する有機高分子材料等が用いられる。また、吸着剤としては、水分を吸着するだけで機能だけなく、水分を吸収する機能を有する材料（いわゆる収着剤）を用いてもよい。
【００５４】
各吸着熱交換器（33a,33b）は、フィン（34b）の短辺側が垂直となり、且つ伝熱管（34a）のＵ字部が左右両側に位置するように、収容室（67）に保持される。
【００５５】
図８に示すように、第３中間区画部材（47）は、第２中間区画部材（44）の上側に積層されている。第３中間区画部材（47）の上面には、左右に幅広の一対の幅広溝（47a,47a）が形成される。これらの幅広溝（47a）には、一対の上側ダンパ仕切板（48）が厚さ方向に嵌合している。これらの上側ダンパ仕切板（48）は、各々の板厚方向が垂直となるような、横置きの配置となっている。上側ダンパ仕切板（48）の前端部は、前面パネル（14）の背面側に位置している。つまり、前面パネル（14）を取り外すと、上側ダンパ仕切板（48）の前端部がケーシング本体（11a）の外部へ露出される。前面パネル（14）を取り外した状態では、上側ダンパ仕切板（48）が、各幅広溝（47a）に沿って前後に引き出し可能となる。
【００５６】
一対の上側ダンパ仕切板（48）は、左寄りの内気ダンパ仕切板（48a）と、右寄りの給気ダンパ仕切板（48b）とで構成される。内気ダンパ仕切板（48a）には、前寄りに第５ダンパ（D5）が、後方寄りに第６ダンパ（D6）が設けられる。給気ダンパ仕切板（48b）には、前寄りに第７ダンパ（D7）が設けられ、後寄りに第８ダンパ（D8）が設けられる。第５ダンパ（D5）及び第７ダンパ（D7）は、第１調湿室（66a）に対応する位置に形成され、第６ダンパ（D6）及び第８ダンパ（D8）は、第２調湿室（66b）に対応する位置に形成される。
【００５７】
第２中間区画部材（44）及び第３中間区画部材（47）の右後側の隅部には、前後に延びる横長の貫通穴がそれぞれ形成され、これらの貫通穴が連続して排気連絡流路（68）を構成する。
【００５８】
中間空間（S2）の左後側の隅部には、第１上部区画部材（51）の外気ダクト部（53）が上下に延びている（図８及び図１０を参照）。外気ダクト部（53）の下端は、下部区画部材（41）の大径筒部（41c）に連続する。また、中間空間（S2）には、第１調湿室（66a）の前側にスペーサ部材（24）が設けられる。スペーサ部材（24）は、第１中間区画部材（43）と第１中間フレーム（23a）との間に所定の間隔を確保するように、両者の間に介設される。
【００５９】
〈上部空間〉
図１０に示すように、上部空間（S3）には、第１上部区画部材（51）、第２上部区画部材（54）、及び第３上部区画部材（80）が設けられる。これらの区画部材（51,54,80）は、いずれも一体に成型されたポリスチレン製の樹脂材料である。上部空間（S3）では、これらの区画部材（51,54,80）によって、４つの上部室（19）が区画される。これらの上部室（19）は、前側右寄りの室内給気室（19a）と、後側右寄りの室外排気室（19b）と、後側左寄りの外気吸込室（19c）と、前側左寄りの内気吸込室（19d）とで構成される。室内給気室（19a）は給気接続口（18a）と連通し、室外排気室（19b）は排気接続口（18b）と連通し、外気吸込室（19c）は外気接続口（18c）と連通し、内気吸込室（19d）は内気接続口（18d）と連通する。室内給気室（19a）には、給気ファンユニット（84）が設けられ、室外排気室（19b）には、排気ファンユニット（87）が設けられる。
【００６０】
第１上部区画部材（51）は、上部空間（S3）の左寄りに設けられる。第１上部区画部材（51）は、左側面パネル（17）に沿ってケーシング（11）の前後両端に亘って形成される左側壁部（52）と、第３縦フレーム（21c）に沿って上下に延びる筒状の外気ダクト部（53）とを有している。外気ダクト部（53）は、上部空間（S3）に配置されて内部に外気吸込室（19c）を区画する大径ダクト部（53a）と、大径ダクト部（53a）の下端から連続するように中間空間（S2）に配置され、大径ダクト部（53a）よりも小径に形成される小径ダクト部（53b）とを有している。
【００６１】
上部空間（S3）では、大径ダクト部（53a）の内部に外気吸込室（19c）が形成され、大径ダクト部（53a）の外方前側に内気吸込室（19d）が形成される。また、上部空間（S3）では、大径ダクト部（53a）の外方下側から前面パネル（14）に亘って上部内気流路（69）が区画される。上部内気流路（69）の上端は、内気吸込室（19d）と連通している。また、上部内気流路（69）には、内気ダンパ仕切板（48a）の第５ダンパ（D5）及び第７ダンパ（D7）が臨んでいる。小径ダクト部（53b）の内部には、外気流入路（61）に繋がるダクト内流路（71）が形成される（図３(Ｂ)を参照）。
【００６２】
第２上部区画部材（54）は、ケーシング（11）の右側面パネル（16）に沿ってケーシング（11）の前後両端に亘って形成される右側壁部（55）と、上部空間（S3）を左右に仕切る中央仕切部（56）と、右側壁部（55）及び中央仕切部（56）の各後端部に連続する後側壁部（57）とを有している。
【００６３】
右側壁部（55）の内側には、台座部（55a）形成されている。台座部（55a）は、縦断面がＬの字状に形成され、後側壁部（57）から前面パネル（14）側に亘って前後に延びている。台座部（55a）の上端面には、各ファンユニット（84,87）及び第３上部区画部材（80）が前後に案内自在に設置される、第１設置面（55c）が形成される。
【００６４】
右側壁部（55）の前後方向の中間部には、上下に延びる柱状の第１当接部（55b）が形成される。第１当接部（55b）には、その前端に第３上部区画部材（80）の後端部が当接する。また、第１当接部（55b）には、第３上部区画部材（80）に対する当接面にシール材（図示省略）が形成される。
【００６５】
中央仕切部（56）は、垂直な第１縦壁（56a）と、該第１縦壁（56a）の下端から水平に屈曲した横壁（56b）と、該横壁（56b）の右端から垂直に屈曲した第２縦壁（56c）とを有する。中央仕切部（56）の上端面には、各ファンユニット（84,87）及び第３上部区画部材（80）が前後に案内自在に設置される、第２設置面（56d）が形成される。
【００６６】
中央仕切部（56）は、前後に並ぶ外気吸込室（19c）及び内気吸込室（19d）と、前後に並ぶ室外排気室（19b）及び室内給気室（19a）とを、左右に仕切るように、ケーシング（11）の前後に延びる主仕切部を構成している。中央仕切部（56）は、ケーシング（11）に沿った右側壁部（55）及び後側壁部（57）と一体に成型されているため、他の部材と独立して中央仕切部（56）だけを取り外すことはできない。
【００６７】
中央仕切部（56）の前後方向の中間部には、上下に延びる柱状の第２当接部（56e）が形成される。第２当接部（56e）には、その前端に第３上部区画部材（80）の後端部が当接する。また、第２当接部（56e）には、第３上部区画部材（80）に対する当接面にシール材（図示省略）が形成される。
【００６８】
第２上部区画部材（54）では、右側壁部（55）と後側壁部（57）との間の隅部と、中央仕切部（56）と後側壁部（57）との間の隅部に、それぞれ挿通部（58）が形成される。各挿通部（58）には、それぞれ補強リブ（75）が挿通される。各補強リブ（75）の上端は、ケーシング（11）の天板（13）に固定される。これらの補強リブ（75）は、排気ファンユニット（87）が固定されて支持される取付部材を構成している。
【００６９】
第２上部区画部材（54）には、排気ファンユニット（87）の下側に横仕切部（59）が一体に形成される（図４(Ａ)）。上部空間（S3）では、この横仕切部（59）の上側に室外排気室（19b）が区画され、横仕切部（59）の下側から前面パネル（14）に亘って上部給気流路（70）が区画される。室外排気室（19b）は、図８に示す排気連絡流路（68）と連通している。上部給気流路（70）の上端は、室内給気室（19a）と連通している。また、上部給気流路（70）には、給気ダンパ仕切板（48b）の第６ダンパ（D6）及び第８ダンパ（D8）が臨んでいる。
【００７０】
図１０に示すように、第３上部区画部材（80）は、第２上部区画部材（54）の右側壁部（55）に沿って形成される第１側板部（81）と、第２上部区画部材（54）の中央仕切部（56）に沿って形成される第２側板部（82）と、第１側板部（81）の後端部と第２側板部（82）の後端部に亘って形成される中間側板部（83）とを有している。つまり、第３上部区画部材（80）は、その横断面形状が、前側に開放部を有する略コの字状（Ｕの字状）に形成される。
【００７１】
第３上部区画部材（80）は、各側板部（81,82）の下端が第２上部区画部材（54）の各設置面（55c,56d）にそれぞれ設置され、且つ中間側板部（83）の左右両端部が第２上部区画部材（54）の各当接部（55b,56e）に当接するように配置される。このように第３上部区画部材（80）を配置すると、右側壁部（55）と中央仕切部（56）との間の空間が、前後に２つの空間（即ち、室内給気室（19a）及び室外排気室（19b））に仕切られる。第３上部区画部材（80）は、室内給気室（19a）及び室外排気室（19b）を前後に仕切るようにケーシング（11）に着脱自在に取り付けられる給排気仕切部を構成している。
【００７２】
給気ファンユニット（84）は、給気ファン（85）と、この給気ファン（85）を支持するための給気側取付板（86）とによって構成される。給気ファン（85）は、遠心側の多翼ファン（いわゆるシロッコファン）である。給気側取付板（86）は、給気ファン（85）のモータが取り付けられる本体部（86a）と、本体部（86a）の左右側方に形成される側板部（86b）と、本体部（86a）の上側に形成される上板部（86c）とで構成される。給気側取付板（86）の各側板部（86b）は、第２上部区画部材（54）の各設置面（55c,56d）に設置される。また、給気側取付板（86）のうち右側の側板部（86b）と上板部（86c）とは、上述した前面パネル（14）（図１を参照）にビス等の締結部材を介して固定される。
【００７３】
排気ファンユニット（87）は、排気ファン（88）と、この排気ファン（88）を支持するための排気側取付板（89）とによって構成される。排気ファン（88）は、遠心側の多翼ファン（いわゆるシロッコファン）である。排気側取付板（89）は、排気ファン（88）のモータが取り付けられる本体部（89a）と、該本体部（89a）の左右側方に形成される側板部（89b）とで構成される。排気側取付板（89）の各側板部（89b）は、第２上部区画部材（54）の各設置面（55c,56d）に設置される。また、これらの側板部（89b）は、上述した補強リブ（75）を介して天板（13）に固定される。
【００７４】
〈冷媒回路の構成〉
調湿装置（10）は、上述した圧縮機（31）や２つの吸着熱交換器（33a,33b）が接続される冷媒回路（30）を備えている。この冷媒回路（30）の構成について、図１１を参照しながら説明する。
【００７５】
冷媒回路（30）は、冷媒配管が接続された閉回路であり、内部に冷媒が充填される。冷媒回路（30）では、冷媒が循環して蒸気圧縮式の冷凍サイクルが行われる。冷媒回路（30）には、圧縮機（31）と、四方切換弁（32）と、第１吸着熱交換器（33a）と、第２吸着熱交換器（33b）とが接続されている。
【００７６】
圧縮機（31）は、いわゆるインバータ制御によって容量（運転周波数）が可変に構成されている。
【００７７】
四方切換弁（32）は、２つの吸着熱交換器（33a,33b）の間で吸着動作と再生動作とが交互に行われるように、冷媒回路（30）の冷媒の循環方向を切り換えるものであって、本発明の切換機構を構成している。この四方切換弁（32）は、第１から第４までのポートを有し、これらのポートの連通状態を切換可能に構成される。四方切換弁（32）の第１ポートは、圧縮機（31）の吐出管（31a）に接続し、四方切換弁（32）の第３ポートは、圧縮機（31）の吸入管（31b）に接続している。四方切換弁（32）の第２ポートは、第１吸着熱交換器（33a）のガス側端部に接続し、四方切換弁（32）の第４ポートは、第２吸着熱交換器（33b）のガス側端部に接続している。四方切換弁（32）は、第１ポートと第４ポートとを連通させて第２ポートと第３ポートとを連通させる状態（図１１の実線で示す第１状態）と、第１ポートと第２ポートとを連通させて第３ポートと第４ポートとを連通させる状態（図１１の破線で示す第２状態）とに切換可能に構成される。
【００７８】
冷媒回路（30）には、四方切換弁（32）によって冷媒の循環方向が切り換わっても、冷媒が一方向に流れる一方向回路（36）が設けられる。この一方向回路（36）には、４つの逆止弁（CV-1,CV-2,CV-3,CV-4）がブリッジ状に接続されたブリッジ回路（36a）と、ブリッジ回路（36a）の流入端と流出端との間に並列に接続された、主回路（36b）及びレヒート回路（36c）が設けられる。
【００７９】
ブリッジ回路（36a）の各逆止弁（CV-1,CV-2,CV-3,CV-4）は、図１１の矢印の方向の冷媒の流れを許容し、これとは逆方向の冷媒の流れを禁止する。ブリッジ回路（36a）では、第１逆止弁（C1-1）と第２逆止弁（CV-2）との間に第１吸着熱交換器（33a）の液側端部が接続し、第３逆止弁（CV-3）と第４逆止弁（CV-4）との間に第２吸着熱交換器（33b）の液側端部が接続している。第１逆止弁（CV-1）及び第３逆止弁（CV-3）の合流部と、第２逆止弁（CV-2）及び第４逆止弁（CV-4）の分流部との間には、主回路（36b）とレヒート回路（36c）とが並列に接続されている。主回路（36b）には、主膨張弁（37）が接続されている。レヒート回路（36c）には、上流側にレヒート熱交換器（35）が、下流側にレヒート側膨張弁（38）が接続される。主膨張弁（37）及びレヒート側膨張弁（38）は、開度が可変な電動式の流量調節弁であり、例えば電子膨張弁で構成される。
【００８０】
〈コントローラとセンサ〉
図１１に示すように、調湿装置（10）は、コントローラ（150）を備えている。コントローラ（150）は、調湿装置（10）の各運転（除湿運転、加湿運転、換気運転、調湿運転）を制御するものであって、本発明の制御部を構成している。具体的に、コントローラ（150）は、リモコン（100）に設定された内容や各センサの検出値に応じて、圧縮機（31）の運転容量や各膨張弁（37,38）の開度を調節し、さらに、各ダンパ（D1〜D8）の開閉状態や、各ファン（85,88）の運転風量を調節するように構成されている。
【００８１】
図３の（Ｂ）に示すように、調湿装置（10）は、センサとして、内気湿度センサ（91）と、外気湿度センサ（92）と、第１外気温度センサ（93）と、第２外気温度センサ（94）とを備えている。内気湿度センサ（91）は、上部内気流路（69）に配置されている。内気湿度センサ（91）は、内気吸込室（19d）に取り込まれた室内空気（RA）の湿度（相対湿度）を検出する。外気湿度センサ（92）及び第１外気温度センサ（93）は、下部外気流路（63a）において、フィルタ（26,27）とレヒート熱交換器（35）の間に配置される。外気湿度センサ（92）は、レヒート熱交換器（35）の上流側の室外空気（OA）の湿度（相対湿度）を検出し、第１外気温度センサ（93）は、レヒート熱交換器（35）の上流側の室外空気（OA）の温度を検出する。第２外気温度センサ（94）は、下部外気流路（63a）において、レヒート熱交換器（35）の下流側に配置される。第２外気温度センサ（94）は、レヒート熱交換器（35）の下流側の室外空気（OA）の温度を検出する。
【００８２】
〈リモコン〉
図１１に示すように、調湿装置（10）は、リモコン（100）を備えている。リモコン（100）は、コントローラ（150）に伝送線を介して接続されたワイヤードリモコンであって、コントローラ（150）との間で信号を送受信して調湿装置（10）を遠隔操作するように構成されている。
【００８３】
図１２に示すように、このリモコン（100）は、液晶表示部（110）と設定部（120）とを備えている。
【００８４】
液晶表示部（110）は、調湿装置（10）の運転状態やユーザ設定された内容を表示するものであって、リモコン（100）の前面において上半分に設けられている。
【００８５】
設定部（120）は、リモコン（100）の前面において下半分に設けられ、ユーザーが操作する各種の設定ボタン（121〜125）が配置されている。具体的に、設定部（120）の中央部には、ドーナツ状のカーソルボタン（121）が配置され、そのカーソルボタン（121）の内側には、メニュー／確定ボタン（122）が配置されている。また、カーソルボタン（121）の周囲には、左上に運転切換ボタン（123）、左下にしつどボタン（124）、右上に運転／停止ボタン（125）、右下にキャンセルボタン（126）がそれぞれ配置されている。
【００８６】
運転切換ボタン（123）は、調湿装置（10）の運転内容を設定するためのボタンであって、ユーザが押す毎に、運転内容が、換気運転、除湿運転、加湿運転、調湿運転の順に周期的に切り換わるように構成されている。この運転切換ボタン（123）によって設定された運転内容は、液晶表示部（110）において左上に表示される。
【００８７】
しつどボタン（124）は、調湿運転の目標湿度範囲を設定するためのボタンである。このしつどボタン（124）は、ユーザが複数の湿度範囲の中から１つを選択して目標湿度範囲を設定するように構成され、具体的には、ユーザが押す毎に複数の湿度範囲が順に周期的に切り換わるサイクリックボタンである。
【００８８】
上記複数の湿度範囲は、リモコン（100）内部の記憶部（図示省略）に記憶されている。本実施形態では、記憶部に、図１３に示す３つの湿度範囲Ａ、Ｂ、Ｃが記憶されている。湿度範囲Ｃは、快適性が最も高い湿度範囲が含むように上限値と下限値がそれぞれ設定されている。そして、湿度範囲Ｂは、湿度範囲Ｃよりも上限値が高くて下限値低く、さらに、湿度範囲Ａは、湿度範囲Ｂよりも上限値が高くて下限値低くなるように設定されている。
【００８９】
これら３つの湿度範囲の内、目標湿度範囲として湿度範囲Ａが選択されると、液晶表示部（110）の中央部には「強」と表示され、湿度範囲Ｂが選択されると「標準」と表示され、湿度範囲Ｃが選択されると「弱」と表示される。
【００９０】
−運転動作−
次に、調湿装置（10）の運転動作について図面を参照しながら順に説明する。この調湿装置（10）では、除湿運転と、加湿運転と、換気運転と、調湿運転とが選択可能になっている。
【００９１】
〈除湿運転〉
除湿運転は、室内を除湿する運転であって、主に、湿度が高い夏場に行われる。この除湿運転は、運転開始前に、ユーザがリモコン（100）の運転切換ボタン（123）を押すことで「除湿運転」が設定され、さらに、ユーザがカーソルボタン（121）を押すことで目標湿度が設定される。その後、ユーザが運転／停止ボタン（125）を押すと、除湿運転が開始される。
【００９２】
除湿運転中の調湿装置（10）では、第１動作と第２動作が所定の時間間隔で交互に繰り返される。
【００９３】
まず、除湿運転時の第１動作について説明する。
【００９４】
第１動作中、図１１に示す冷媒回路（30）では、四方切換弁（32）が第１状態に設定され、レヒート側膨張弁（38）がほぼ全閉に近い状態となり、主膨張弁（37）が所定の開度で開放される。そして、圧縮機（31）が運転されると、圧縮機（31）で圧縮された冷媒が第２吸着熱交換器（33b）で凝縮（放熱）し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過した後、第１吸着熱交換器（33a）で蒸発し、圧縮機（31）に吸入される。このように、第１動作では、第１吸着熱交換器（33a）が蒸発器として機能し、第２吸着熱交換器（33b）が凝縮器として機能する。
【００９５】
図１４及び図１５に示すように、第１動作中、給気ファン（85）と排気ファン（88）とが稼動する。そして、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となる。
【００９６】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。尚、除湿運転では、レヒート回路（36c）に冷媒が供給されないため、レヒート熱交換器（35）では、空気が加熱されることがない。
【００９７】
レヒート熱交換器（35）を通過した空気は、上部外気流路（63b）、中間外気流路（64）、第１ダンパ（D1）を順に流れ、第１吸着熱交換器（33a）を通過する。第１吸着熱交換器（33a）では、空気中の水分が吸着剤に吸着され、空気が除湿される。つまり、第１吸着熱交換器（33a）では吸着動作が行われる。その後、第１吸着熱交換器（33a）で除湿された空気は、第７ダンパ（D7）、上部給気流路（70）、室内給気室（19a）を順に流れ、ダクトを経由して室内空間へ供給空気（SA）として供給される。
【００９８】
一方、排気ファン（88）を運転すると、室内空気（RA）が室内側のダクトを経由して内気吸込室（19d）へ取り込まれ、上部内気流路（69）、第６ダンパ（D6）を順に流れ、第２吸着熱交換器（33b）を通過する。第２吸着熱交換器（33b）では、吸着剤から空気中へ水分が脱離し、吸着剤が再生される。つまり、第２吸着熱交換器（33b）では再生動作が行われる。その後、第２吸着熱交換器（33b）の吸着剤の再生に用いられた空気は、第４ダンパ（D4）、中間排気流路（65）、排気連絡流路（68）、室外排気室（19b）を順に流れ、ダクトを経由して室外空間へ排出空気（EA）として排出される。
【００９９】
次に、除湿運転時の第２動作について説明する。
【０１００】
第２動作中、図１１に示す冷媒回路（30）では、四方切換弁（32）が第２状態に設定され、レヒート側膨張弁（38）がほぼ全閉に近い状態となり、主膨張弁（37）が所定の開度で開放される。そして、圧縮機（31）が運転されると、圧縮機（31）で圧縮された冷媒が第１吸着熱交換器（33a）で凝縮（放熱）し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過した後、第２吸着熱交換器（33b）で蒸発し、圧縮機（31）に吸入される。このように、第２動作では、第１吸着熱交換器（33a）が凝縮器として機能し、第２吸着熱交換器（33b）が蒸発器として機能する。
【０１０１】
図１６及び図１７に示すように、第２動作中、給気ファン（85）と排気ファン（88）とが稼動する。そして、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となる。
【０１０２】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。尚、除湿運転では、レヒート回路（36c）に冷媒が供給されないため、レヒート熱交換器（35）では、空気が加熱されることがない。
【０１０３】
レヒート熱交換器（35）を通過した空気は、上部外気流路（63b）、中間外気流路（64）、第２ダンパ（D2）を順に流れ、第２吸着熱交換器（33b）を通過する。第２吸着熱交換器（33b）では、空気中の水分が吸着剤に吸着され、空気が除湿される。つまり、第２吸着熱交換器（33b）では吸着動作が行われる。その後、第２吸着熱交換器（33b）で除湿された空気は、第８ダンパ（D8）、上部給気流路（70）、室内給気室（19a）を順に流れ、ダクトを経由して室内空間へ供給空気（SA）として供給される。
【０１０４】
一方、排気ファン（88）を運転すると、室内空気（RA）が室内側のダクトを経由して内気吸込室（19d）へ取り込まれ、上部内気流路（69）、第５ダンパ（D5）を順に流れ、第１吸着熱交換器（33a）を通過する。第１吸着熱交換器（33a）では、吸着剤から空気中へ水分が脱離し、吸着剤が再生される。つまり、第１吸着熱交換器（33a）では再生動作が行われる。その後、第１吸着熱交換器（33a）の吸着剤の再生に用いられた空気は、第３ダンパ（D3）を通過し、中間排気流路（65）、排気連絡流路（68）、室外排気室（19b）を順に流れ、ダクトを経由して室外空間へ排出空気（EA）として排出される。
【０１０５】
〈加湿運転〉
加湿運転は、室内を加湿する運転であって、主に、湿度が低い冬場に行われる。この加湿運転は、運転開始前に、ユーザがリモコン（100）の運転切換ボタン（123）を押すことで「加湿運転」が設定され、さらに、ユーザがカーソルボタン（121）を押すことで目標湿度が設定される。その後、ユーザが運転／停止ボタン（125）を押すと、加湿運転が開始される。
【０１０６】
加湿運転中の調湿装置（10）では、第１動作と第２動作が所定の時間間隔で交互に繰り返される。
【０１０７】
まず、加湿運転時の第１動作について説明する。
【０１０８】
第１動作中、図１１に示す冷媒回路（30）では、四方切換弁（32）が第２状態に設定され、主膨張弁（37）が閉状態となり、レヒート側膨張弁（38）が所定の開度で開放される。そして、圧縮機（31）が運転されると、圧縮機（31）で圧縮された冷媒が第１吸着熱交換器（33a）で凝縮（放熱）し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第２吸着熱交換器（33b）で蒸発し、圧縮機（31）に吸入される。このように、第１動作では、第１吸着熱交換器（33a）が凝縮器として機能し、第２吸着熱交換器（33b）が蒸発器として機能する。
【０１０９】
図１４及び図１５に示すように、第１動作中、給気ファン（85）と排気ファン（88）とが稼動する。そして、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となる。
【０１１０】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１１１】
レヒート熱交換器（35）で加熱された空気は、上部外気流路（63b）、中間外気流路（64）、第１ダンパ（D1）を順に流れ、第１吸着熱交換器（33a）を通過する。第１吸着熱交換器（33a）では、吸着剤から空気中へ水分が脱離して吸着剤を再生しつつ、空気が加湿される。つまり、第１吸着熱交換器（33a）では再生動作が行われる。その後、第１吸着熱交換器（33a）で加湿された空気は、第７ダンパ（D7）、上部給気流路（70）、室内給気室（19a）を順に流れ、ダクトを経由して室内空間へ供給空気（SA）として供給される。
【０１１２】
一方、排気ファン（88）を運転すると、室内空気（RA）が室内側のダクトを経由して内気吸込室（19d）へ取り込まれ、上部内気流路（69）、第６ダンパ（D6）を順に流れ、第２吸着熱交換器（33b）を通過する。第２吸着熱交換器（33b）では、空気中の水分が吸着剤に吸着される。つまり、第２吸着熱交換器（33b）では吸着動作が行われる。その後、第２吸着熱交換器（33b）の吸着剤へ水分を付与した空気は、第４ダンパ（D4）、中間排気流路（65）、排気連絡流路（68）、室外排気室（19b）を順に流れ、ダクトを経由して室外空間へ排出空気（EA）として排出される。
【０１１３】
次に、加湿運転時の第２動作について説明する。
【０１１４】
第２動作中、図１１に示す冷媒回路（30）では、四方切換弁（32）が第１状態に設定され、主膨張弁（37）が閉状態となり、レヒート側膨張弁（38）が所定の開度で開放される。そして、圧縮機（31）が運転されると、圧縮機（31）で圧縮された冷媒が第２吸着熱交換器（33b）で凝縮（放熱）し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第１吸着熱交換器（33a）で蒸発し、圧縮機（31）に吸入される。このように、第２動作では、第１吸着熱交換器（33a）が蒸発器として機能し、第２吸着熱交換器（33b）が凝縮器として機能する。
【０１１５】
図１６及び図１７に示すように、第２動作中、給気ファン（85）と排気ファン（88）とが稼動する。そして、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となる。
【０１１６】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１１７】
レヒート熱交換器（35）で加熱された空気は、上部外気流路（63b）、中間外気流路（64）、第２ダンパ（D2）を順に流れ、第２吸着熱交換器（33b）を通過する。第２吸着熱交換器（33b）では、吸着剤から空気中へ水分が脱離して吸着剤を再生しつつ、空気が加湿される。つまり、第２吸着熱交換器（33b）では再生動作が行われる。その後、第２吸着熱交換器（33b）で加湿された空気は、第８ダンパ（D8）、上部給気流路（70）、室内給気室（19a）を順に流れ、ダクトを経由して室内空間へ供給空気（SA）として供給される。
【０１１８】
一方、排気ファン（88）を運転すると、室内空気（RA）が室内側のダクトを経由して内気吸込室（19d）へ取り込まれ、上部内気流路（69）、第５ダンパ（D5）を順に流れ、第１吸着熱交換器（33a）を通過する。第１吸着熱交換器（33a）では、空気中の水分が吸着剤に吸着される。つまり、第１吸着熱交換器（33a）では吸着動作が行われる。その後、第１吸着熱交換器（33a）の吸着剤へ水分を付与した空気は、第３ダンパ（D3）、中間排気流路（65）、排気連絡流路（68）、室外排気室（19b）を順に流れ、ダクトを経由して室外空間へ排出空気（EA）として排出される。
【０１１９】
〈換気運転〉
換気運転は、室外空気（OA）をそのまま室内へ供給すると同時に、室内空気（RA）をそのまま室外へ排出して室内を換気する運転である。この換気運転は、運転開始前に、ユーザがリモコン（100）の運転切換ボタン（123）を押すことで「換気運転」が設定される。その後、ユーザが運転／停止ボタン（125）を押すと、換気運転が開始される。
【０１２０】
換気運転では、冷媒回路（50）の圧縮機（53）を停止した状態で、第１動作と第２動作が所定の時間間隔で交互に繰り返される。
【０１２１】
換気運転の第１動作では、除湿運転の第１動作や加湿運転の第１動作と同様の空気流れが形成され、換気運転の第２動作では、除湿運転の第２動作や加湿運転の第２動作と同様の空気流れが形成される。そして、各動作時に、ダクトを経由して外気吸込室（19c）へ取り込まれた室外空気（OA）は、調湿装置（10）内の各部を通過した後、室内給気室（19a）から室内空間へ供給空気（SA）として供給される。一方、室内側のダクトを経由して内気吸込室（19d）へ取り込まれた室内空気（RA）は、調湿装置（10）内の各部を通過した後、室外排気室（19b）から室外空間へ排出空気（EA）として排出される。
【０１２２】
〈調湿運転〉
調湿運転は、室内を除湿する除湿動作と室内を加湿する加湿動作を選択的に実行する運転である。この調湿運転は、運転開始前に、ユーザがリモコン（100）の運転切換ボタン（123）を押すことで「調湿運転」が設定される。さらに、ユーザがしつどボタン（124）を押して、複数（この場合、３つ）の湿度範囲の中から１つを選択することで、目標湿度範囲が設定される。その後、ユーザが運転／停止ボタン（125）を押すと、調湿運転が開始される。
【０１２３】
図１８に示すように、調湿運転では、室内の湿度が目標湿度範囲の上限値よりも低く下限値よりも高い間は、各動作（除湿動作と加湿動作）が停止されている。そして、室内の湿度が目標湿度範囲の上限値よりも高くなると、除湿動作が開始される。除湿動作では、目標湿度範囲の上限値が目標湿度になるように、上記除湿運転と同様の動作が行われ、除湿動作中、室内の湿度はその上限値（目標湿度）に維持される。
【０１２４】
さらに、調湿運転では、室内の湿度が目標湿度範囲の下限値よりも低くなると、加湿動作が開始される。加湿動作では、目標湿度範囲の下限値が目標湿度になるように、上記加湿運転と同様の動作が行われ、加湿動作中、室内の湿度はその下限値（目標湿度）に維持される。
【０１２５】
このように、調湿運転では、除湿動作と加湿動作とが選択的に行われ、室内の湿度が目標湿度範囲内（上限値と下限値の間）に制御される。
【０１２６】
例えば、図１３に示す３つの湿度範囲の内、最も広い（上限値と下限値との差が最も大きい）湿度範囲Ａが目標湿度範囲として設定されると、液晶表示部（110）には「弱」と表示され、運転出力（例えば、圧縮機（31）の出力）の弱い調湿運転が行われる。
【０１２７】
具体的に、湿度範囲Ａが設定された調湿運転では、他の湿度範囲が設定された場合よりも、除湿動作の目標湿度が高くなる。そのため、除湿動作中、室内の湿度と目標湿度との差が小さくなり、室内の湿度を目標湿度にするのに要する運転出力が低くなる。
【０１２８】
さらに、湿度範囲Ａが設定された調湿運転では、他の湿度範囲が設定された場合よりも、加湿動作の目標湿度が低くなる。そのため、加湿動作中、室内の湿度と目標湿度との差が小さくなり、室内の湿度を目標湿度にするのに要する運転出力が低くなる。
【０１２９】
このように、湿度範囲Ａを設定すると、運転出力を低く抑えた省エネモードの調湿運転が行われる。そのため、調湿運転時の消費電力を低減することができる。
【０１３０】
また、３つの湿度範囲の内、最も狭い（上限値と下限値との差が最も小さい）湿度範囲Ｃが目標湿度範囲として設定されると、液晶表示部（110）には「強」と表示され、運転出力（例えば、圧縮機（31）の出力）の強い調湿運転が行われる。
【０１３１】
具体的に、湿度範囲Ｃが設定された調湿運転では、他の湿度範囲が設定された場合よりも、除湿動作の目標湿度が低くなる。そのため、除湿動作中、室内の湿度と目標湿度との差が大きくなって運転出力が大きくなるものの、室内の湿度を低めに維持して室内の快適性を高めることができる。
【０１３２】
さらに、湿度範囲Ｃが設定された調湿運転では、他の湿度範囲が設定された場合よりも、加湿動作の目標湿度が低くなる。そのため、加湿動作中、室内の湿度と目標湿度との差が大きくなって運転出力が大きくなるものの、室内の湿度を高めに維持して室内の快適性を高めることができる。
【０１３３】
また、３つの湿度範囲の内、湿度範囲Ｂが目標湿度範囲として設定されると、液晶表示部（110）には「標準」と表示され、運転出力が湿度範囲Ａの場合よりも強く湿度範囲Ｃの場合よりも弱い調湿運転が行われる。
【０１３４】
−実施形態の効果−
上記実施形態によれば、調湿運転を行う際、ユーザによって目標湿度範囲を設定するようにした。そして、調湿運転中、コントローラ（150）では、室内の湿度が目標湿度範囲の上限値よりも高くなると、その上限値を目標湿度とした除湿動作を実行し、室内の湿度が目標湿度範囲の下限値よりも低くなると、その下限値を目標湿度とした加湿動作を実行するようにした。これにより、調湿運転中にユーザが目標湿度を設定変更することなく、室内の湿度を目標湿度範囲内（上限値と下限値の間）に保つことができ、ユーザの利便性を向上させることができる。
【０１３５】
また、上記実施形態によれば、ユーザが３つの湿度範囲（湿度範囲Ａ、Ｂ、Ｃ）の中から１つを選択して、目標湿度範囲を設定するようにした。そして、ユーザが選択する湿度範囲が広い（湿度範囲の上限値と下限値との差が大きい）程、調湿運転時の運転出力が低くなるようにした。これにより、ユーザは、比較的広い湿度範囲Ａを選択して省エネ性（消費電力の低減）を重視した調湿運転を行うか、比較的狭い湿度範囲Ｃを選択して室内の快適性を重視した調湿運転を行うかを選ぶことができる。
【０１３６】
また、上記実施形態によれば、ユーザによる湿度範囲の選択をサイクリックボタンであるしつどボタン（124）で行うようにした。ユーザによる湿度範囲の選択を、例えば、カーソルボタン（121）で行うと、カーソルボタン（121）を押す毎に目標湿度が高くなる又は低くなることをユーザに連想させてしまい、設定上の誤解を招く虞がある。しかし、上記実施形態では、ユーザによる湿度範囲の選択をサイクリックボタンで行うため、設定上の誤解を回避することができる。
【０１３７】
また、上記実施形態によれば、冷媒回路（30）の冷媒の循環方向を切り換えることによって、冷媒回路（30）に接続された２つの吸着熱交換器（33a,33b）の間で吸着動作と再生動作とを交互に行うようにした。そして、吸着動作中の吸着熱交換器（33a,33b）で除湿された空気を室内へ供給する除湿動作と再生動作中の吸着熱交換器（33a,33b）で加湿された空気を室内へ供給する加湿動作とを選択的に行う調湿運転を行うようにした。これにより、長時間の調湿運転を容易に行うことができ、長時間の調湿運転中でも、ユーザは目標湿度を設定変更することなく、室内の湿度を目標湿度範囲内（上限値と下限値の間）に保つことができる。
【０１３８】
《その他の実施形態》
上記実施形態については、以下のような構成としてもよい。
【０１３９】
上記実施形態では、冷媒回路（30）に接続されて吸着剤が担持された２つの吸着熱交換器（33a,33b）によって、本発明の除湿部と本発明の加湿部とが構成されている。しかし、本発明の除湿部は取り込んだ空気を除湿するものであれば、上記実施形態以外の構成でも構わず、本発明の加湿部は取り込んだ空気を加湿するものであれば、上記実施形態以外の構成でも構わない。
【０１４０】
また、上記実施形態では、室外空気（OA）を除湿（または加湿）して室内へ供給すると共に室内空気（RA）を排出する、いわゆる除湿換気運転（または加湿換気運転）が行われている。しかし、室内を除湿（または加湿）する方法はこれに限らず、例えば、室内空気（RA）を除湿（または加湿）して室内へ戻す、いわゆる除湿循環運転（または加湿循環運転）を行っても構わない。
【０１４１】
また、上記実施形態では、ユーザが３つの湿度範囲の中から１つを選択することで、目標湿度範囲が設定される。しかし、ユーザが選択可能な湿度範囲の数は、これに限るものではない。
【０１４２】
また、上記実施形態では、湿度範囲が広い程（Ａ、Ｂ、Ｃの順に）、湿度範囲の上限値が高く且つ湿度範囲の下限値が低いが、湿度範囲の広さと上限値及び下限値との関係は、これに限るものではない。
【０１４３】
また、上記実施形態では、湿度範囲Ａ、Ｂ、Ｃが順に周期的に切り換わるしつどボタン（124）が、目標湿度範囲の設定に用いられている。しかし、目標湿度範囲を設定するボタンはこれに限らず、例えば、ユーザが押すと最も広い（上限値と下限値との差が最も大きい）湿度範囲Ａが設定される湿度範囲Ａ設定用の専用ボタンを別に設けるようにしても良い。こうすることで、ユーザは、例えば外出時に、室内の防カビ対策等のために、省エネモードの調湿運転をワンタッチで設定することができ、ユーザの利便性を向上させることができる。
【産業上の利用可能性】
【０１４４】
以上説明したように、本発明は、室内を調湿する調湿装置について有用である。
【符号の説明】
【０１４５】
10  調湿装置
30  冷媒回路
32  四方切換弁（切換機構）
33a  第１吸着熱交換器（除湿部、加湿部、吸着熱交換器）
33b  第２吸着熱交換器（除湿部、加湿部、吸着熱交換器）
120  設定部
124  しつどボタン（設定ボタン）
150  制御部（コントローラ）
【図１】
2014085074.tif 000003
【図２】
2014085074.tif 000004
【図３】
2014085074.tif 000005
【図４】
2014085074.tif 000006
【図５】
2014085074.tif 000007
【図６】
2014085074.tif 000008
【図７】
2014085074.tif 000009
【図８】
2014085074.tif 000010
【図９】
2014085074.tif 000011
【図１０】
2014085074.tif 000012
【図１１】
2014085074.tif 000013
【図１２】
2014085074.tif 000014
【図１３】
2014085074.tif 000015
【図１４】
2014085074.tif 000016
【図１５】
2014085074.tif 000017
【図１６】
2014085074.tif 000018
【図１７】
2014085074.tif 000019
【図１８】
2014085074.tif 000020
【手続補正書】
【提出日】平成25年10月7日(2013.10.7)
【手続補正１】
【補正対象書類名】明細書
【補正対象項目名】全文
【補正方法】変更
【補正の内容】
【発明の詳細な説明】
【技術分野】
【０００１】
本発明は、室内を調湿する調湿装置に関し、特に、ユーザの利便性向上策に係るものである。
【背景技術】
【０００２】
従来より、除湿または加湿された空気を室内へ供給して室内を調湿する調湿装置が知られている。例えば、特許文献１には、この種の調湿装置が開示されている。この調湿装置は、圧縮機、四方切換弁、及び２つの吸着熱交換器が接続された冷媒回路を備え、冷媒を循環させると、一方の吸着熱交換器が蒸発器として機能し、他方の吸着熱交換器が凝縮器として機能するように構成されている。蒸発器となる吸着熱交換器では、冷媒によって吸着剤が冷却され、該吸着剤へ空気中の水分を吸着させる吸着動作が行われる。一方、凝縮器となる吸着熱交換器では、冷媒によって吸着剤が加熱され、該吸着剤から水分を空気中へ脱離させる再生動作が行われる。そして、四方切換弁で冷媒回路内の冷媒の循環方向を切り換えることによって、２つの吸着熱交換器の間で、再生動作と吸着動作とが交互に繰り返し行われる。
【０００３】
この調湿装置では、除湿運転と加湿運転とが行われる。除湿運転では、室外空気（OA）が吸着動作を行う吸着熱交換器へと導かれ、該吸着熱交換器で除湿された空気が室内へ供給される。この時、室内空気（RA）は、再生動作を行う吸着熱交換器へと導かれ、該吸着熱交換器の吸着剤から脱離した水分と共に、室外へ排出される。
【０００４】
一方、加湿運転では、室外空気（OA）が再生動作を行う吸着熱交換器へと導かれ、該吸着熱交換器で加湿された空気が室内へ供給される。この時、室内空気（RA）は、吸着動作を行う吸着熱交換器へと導かれ、該吸着熱交換器の吸着剤へ水分を吸着させた後、室外へ排出される。
【先行技術文献】
【特許文献】
【０００５】
【特許文献１】特開２００９−９２２９９号公報
【発明の概要】
【発明が解決しようとする課題】
【０００６】
従来の調湿装置では、上記除湿運転と上記加湿運転とを選択的に実行する調湿運転を行う場合がある。調湿運転では、例えば、高湿である夏場に、室内の湿度が所定の目標湿度よりも高くなると除湿運転が実行され、低湿である冬場に、室内の湿度が所定の目標湿度よりも低くなると加湿運転が実行される。
【０００７】
しかし、従来の調湿運転では、夏場の除湿運転の目標湿度を高く冬場の加湿運転の目標湿度を低くして、室内の湿度を所定範囲内に保ちたい場合に、ユーザは、除湿運転と加湿運転との切り換え時期に目標湿度を設定変更しなければならず、ユーザにとって利便性が悪いという問題があった。
【０００８】
本発明は、かかる点に鑑みてなされたものであり、調湿運転を行って室内の湿度を所定範囲内に保つ場合に、ユーザによる目標湿度の設定変更を無くして、ユーザの利便性を向上させることを目的としている。
【課題を解決するための手段】
【０００９】
第１の発明は、空気中の水分を吸着剤に吸着させることによって空気を除湿する除湿部（33a,33b）と、吸着剤から空気中へ水分を脱離させることによって空気を加湿する加湿部（33a,33b）と、室内の湿度が目標湿度になるように、上記除湿部（33a,33b）で除湿された空気を室内へ供給する除湿動作と上記加湿部で加湿された空気を室内へ供給する加湿動作とを選択的に行う調湿運転を制御する制御部（150）とを備えた調湿装置を対象としている。そして、予め定められた複数の湿度範囲の中の一つをユーザが目標湿度範囲に設定するための設定部（120）を備え、上記制御部（150）は、室内の湿度が上記目標湿度範囲の上限値よりも高くなると、該上限値を目標湿度として除湿動作を行い、室内の湿度が上記目標湿度範囲の下限値よりも低くなると、該下限値を目標湿度として加湿動作を行うものである。
【００１０】
上記第１の発明では、調湿運転を行う際、ユーザによって目標湿度範囲が設定される。そして、調湿運転を開始して、室内の湿度が目標湿度範囲の上限値よりも高くなると、その上限値を目標湿度とした除湿動作が実行され、室内の湿度が目標湿度範囲の下限値よりも低くなると、その下限値を目標湿度とした加湿動作が実行される。
【００１１】
このように、上記第１の発明では、調湿運転中にユーザが目標湿度を設定変更することなく、室内の湿度が目標湿度範囲内（上限値と下限値の間）に保たれる。
【００１２】
第２の発明は、上記第１の発明において、上記複数の湿度範囲は、上限値と下限値との差である湿度幅が互いに異なり、上記湿度幅の広い湿度範囲ほど、その上限値が高く且つその下限値が低いものである。
【００１３】
上記第２の発明では、ユーザが目標湿度範囲として選択する湿度範囲の湿度幅が広い（湿度範囲の上限値と下限値との差が大きい）程、上限値である除湿動作の目標湿度が高く、下限値である加湿動作の目標湿度が低くなる。そして、除湿動作及び加湿動作の各動作時に、室内の湿度と目標湿度との差が小さくなって、室内の湿度を目標湿度にするのに要する運転出力が低く抑えられ、その結果、消費電力が低減される。
【００１４】
このように、上記第２の発明では、ユーザが目標湿度範囲として選択する湿度範囲の湿度幅が広い程、低消費電力の調湿運転が行われる。そのため、ユーザは、湿度幅が比較的広い湿度範囲を選択して省エネ性（消費電力の低減）を重視した調湿運転を行うか、湿度幅が比較的狭い湿度範囲を選択して室内の快適性を重視した調湿運転を行うかを選ぶことができる。
【００１５】
第３の発明は、上記第２の発明において、上記設定部（120）は、ユーザが押すと上記湿度幅の最も広い湿度範囲が目標湿度範囲に設定される専用ボタンを有しているものである。
【００１６】
上記第３の発明では、調湿運転を行う際、ユーザが上記専用ボタンを押すと、上限値が最も高く下限値が最も低い湿度範囲が目標湿度範囲に設定される。そして、調湿運転中に、目標湿度が最も高くて運転出力が最も低い省エネモードの除湿動作と、目標湿度が最も低くて運転出力が最も低い省エネモードの加湿動作とが選択的に実行される。
【００１７】
第４の発明は、上記第１乃至第３の何れか１の発明において、上記設定部（120）は、ユーザが押す毎に、上記複数の湿度範囲のうち上記目標湿度範囲に設定されるものが順に周期的に切り換わる設定ボタン（124）を有しているものである。
【００１８】
ユーザは、除湿動作の目標湿度が高く加湿動作の目標湿度が低い湿度範囲や、除湿動作の目標湿度が低く加湿動作の目標湿度が高い湿度範囲等の中から１つを選択して目標湿度範囲を設定する。このユーザによる湿度範囲の選択を、例えば、カーソルボタンで行うと、カーソルボタンを押す毎に目標湿度が高くなる又は低くなることをユーザに連想させてしまい、設定上の誤解を招く虞がある。しかし、上記第４の発明では、ユーザによる湿度範囲の選択を、湿度範囲が周期的に切り換わるサイクリックボタンで行うため、設定上の誤解が回避される。
【００１９】
第５の発明は、上記第１乃至第４の何れか１の発明において、上記除湿部（33a,33b）及び加湿部（33a,33b）は、冷凍サイクルを行う冷媒回路（30）に接続されて吸着剤を担持する２つの吸着熱交換器（33a,33b）によって構成され、上記冷媒回路（30）は、上記２つの吸着熱交換器（33a,33b）で吸着剤の吸着動作と再生動作とが交互に行われるように冷媒の循環方向を切り換える切換機構（32）を有し、上記制御部（150）は、吸着動作中の上記吸着熱交換器（33a,33b）で除湿された空気を室内へ供給する除湿動作と、再生動作中の上記吸着熱交換器（33a,33b）で加湿された空気を室内へ供給する加湿動作とを選択的に行う調湿運転を制御するものである。
【００２０】
上記第５の発明では、２つの吸着熱交換器の間で吸着動作と再生動作とを交互に行いながら、長時間の連続した調湿運転が容易に行われる。そして、長時間の連続運転中でも、ユーザは目標湿度を設定変更することなく、室内の湿度が目標湿度範囲内（上限値と下限値の間）に保たれる。
【発明の効果】
【００２１】
本発明によれば、調湿運転を行う際、ユーザによって目標湿度範囲を設定するようにした。そして、調湿運転を開始して、室内の湿度が目標湿度範囲の上限値よりも高くなると、その上限値を目標湿度とした除湿動作を実行し、室内の湿度が目標湿度範囲の下限値よりも低くなると、その下限値を目標湿度とした加湿動作を実行するようにした。これにより、調湿運転中にユーザが目標湿度を設定変更することなく、室内の湿度を目標湿度範囲内（上限値と下限値の間）に保つことができ、ユーザの利便性を向上させることができる。
【００２２】
また、第２の発明によれば、ユーザが目標湿度範囲として選択する湿度範囲の湿度幅が広い（湿度範囲の上限値と下限値との差が大きい）程、調湿運転時の運転出力が低くなるようにした。これにより、ユーザは、湿度幅が比較的広い湿度範囲を選択して省エネ性（消費電力の低減）を重視した調湿運転を行うか、湿度幅が比較的狭い湿度範囲を選択して室内の快適性を重視した調湿運転を行うかを選ぶことができる。
【００２３】
また、第３の発明によれば、各動作の運転出力が最も低い省エネモードの調湿運転を設定するための専用ボタンを設けるようにした。これにより、ユーザは、例えば外出時に、室内の防カビ対策のために、省エネモードの調湿運転をワンタッチで設定することができる。
【００２４】
また、第４の発明によれば、ユーザによる湿度範囲の選択をサイクリックボタンである設定ボタン（124）で行うようにした。ユーザによる湿度範囲の選択を、例えば、カーソルボタンで行うと、カーソルボタンを押す毎に目標湿度が高くなる又は低くなることをユーザに連想させてしまい、設定上の誤解を招く虞がある。しかし、第４の発明では、ユーザによる湿度範囲の選択をサイクリックボタンで行うため、設定上の誤解を回避することができる。
【００２５】
また、第５の発明によれば、冷媒回路（30）の冷媒の循環方向を切り換えることによって、冷媒回路（30）に接続された２つの吸着熱交換器（33a,33b）の間で吸着動作と再生動作とを交互に行うようにした。そして、吸着動作中の吸着熱交換器（33a,33b）で除湿された空気を室内へ供給する除湿動作と再生動作中の吸着熱交換器（33a,33b）で加湿された空気を室内へ供給する加湿動作とを選択的に行う調湿運転を行うようにした。これにより、長時間の調湿運転を容易に行うことができ、長時間の調湿運転中でも、ユーザは目標湿度を設定変更することなく、室内の湿度を目標湿度範囲内（上限値と下限値の間）に保つことができる。
【図面の簡単な説明】
【００２６】
【図１】図１は、実施形態に係る調湿装置のケーシング構造を表した斜視図である。
【図２】図２は、実施形態に係る調湿装置のフレーム構造を表した斜視図である。
【図３】図３は、実施形態に係る調湿装置を模式的に表した構成図であり、図３(Ａ)は、調湿装置を上面から、図３(Ｂ)は、調湿装置の内部構造を前面から、図３(Ｃ)は、調湿装置の内部構造を左側面から、図３(Ｄ)は、調湿装置の内部構造を右側面から、それぞれ視たものである。
【図４】図４は、実施形態に係る調湿装置の模式的に表した構成図であり、図４(Ａ)は、調湿装置の内部構造を図３(Ａ)のＹ−Ｙ断面から視たものであり、図４(Ｂ)は、調湿装置の内部構造を図４(Ａ)のＺ−Ｚ断面から視たものである。
【図５】図５は、実施形態に係る調湿装置の内部構造を示した組立斜視図であり、特に、下部空間の内部構造を表したものである。
【図６】図６は、実施形態に係る調湿装置の内部構造を示した組立斜視図であり、特に、レヒート熱交換器の周辺構造を表したものである。
【図７】図７は、実施形態に係る調湿装置の内部構造を示した組立斜視図であり、特に、下側ダンパの周辺構造を表したものである。
【図８】図８は、実施形態に係る調湿装置の内部構造を示した組立斜視図であり、特に、上側ダンパの周辺構造を表したものである。
【図９】図９は、実施形態に係る吸着熱交換器の斜視図に、その周囲の調湿室を仮想線を用いて付加したものである。
【図１０】図１０は、実施形態に係る調湿装置の内部構造を示した斜視図であり、特に上部空間の内部構造を表したものである。
【図１１】図１１は、実施形態に係る調湿装置の冷媒回路の概略構成図である。
【図１２】図１２は、実施形態に係る調湿装置のリモコンの概略構成図である。
【図１３】図１３は、実施形態に係るリモコンの設定部に目標湿度範囲として設定可能な湿度範囲Ａ、Ｂ、Ｃを示す空気線図である。
【図１４】図１４は、実施形態に係る調湿装置の除湿運転時（調湿運転の除湿動作時）の第１動作、又は加湿運転時（調湿運転の加湿動作時）の第１動作の空気流れを示した、図３相当図である。
【図１５】図１５は、実施形態に係る調湿装置の除湿運転時（調湿運転の除湿動作時）の第１動作、又は加湿運転時（調湿運転の加湿動作時）の第１動作の空気流れを示した、図４相当図である。
【図１６】図１６は、実施形態に係る調湿装置の除湿運転時（調湿運転の除湿動作時）の第２動作、又は加湿運転時（調湿運転の加湿動作時）の第２動作の空気流れを示した、図３相当図である。
【図１７】図１７は、実施形態に係る調湿装置の除湿運転時（調湿運転の除湿動作時）の第２動作、又は加湿運転時（調湿運転の加湿動作時）の第２動作の空気流れを示した、図４相当図である。
【図１８】図１８は、実施形態に係る調湿装置の調湿運転時における室内湿度の時間経過を示すグラフである。
【発明を実施するための形態】
【００２７】
本発明の実施形態について説明する。なお、以下に示す実施形態は、本質的に好ましい例示であって、本発明、その適用物、あるいはその用途の範囲を制限することを意図するものではない。
【００２８】
本発明の実施形態に係る調湿装置（10）は、室内の床面に設置されて室内の湿度調節を行う床置き型の調湿装置である。調湿装置（10）は、例えば衣服等が収納されるクローゼットの収納空間等に設置される。
【００２９】
調湿装置（10）の構成について図面を参照しながら説明する。なお、以下の説明における「上」「下」「右」「左」「前」「後」の各方向を表す記載は、原則として、図１に示す調湿装置（10）を前面側から視た場合を基準とする。また、図３及び図４は、調湿装置（10）を模式的に表したものであり、図３(Ａ)は調湿装置（10）の上面を、図３(Ｂ)は調湿装置（10）の前側の内部構造を、図３(Ｃ)は調湿装置（10）の左側の内部構造を、図３(Ｄ)は調湿装置の右側の内部構造をそれぞれ表している。また、図４(Ａ）は、図３(Ａ)の調湿装置の内部構造をＹ−Ｙ断面から視たものであり、図４(Ｂ)は、図４(Ａ)の調湿装置の内部構造をＺ−Ｚ断面から視たものである。
【００３０】
〈ケーシング構造〉
図１に示すように、調湿装置（10）は、縦長の直方体形の箱形のケーシング（11）を備えている。ケーシング（11）は、矩形板状の底板（12）及び天板（13）と、底板（12）及び天板（13）のそれぞれの四辺に対応する４枚の矩形板状のパネル（14,15,16,17）とを備えている。これらのパネル（14,15,16,17）は、前面側の前面パネル（14）と、後面側の後面パネル（15）と、右側の右側面パネル（16）と、左側の左側面パネル（17）とで構成される。ケーシング（11）では、底板（12）、天板（13）、後面パネル（15）、右側面パネル（16）、及び左側面パネル（17）が、前側に開放面を形成したケーシング本体（11a）を構成する。前面パネル（14）は、ビス等の締結部材を介してケーシング本体（11a）に対して着脱自在に構成される。また、ケーシング（11）は、後面パネル（15）が室内の壁に接するように設置される。
【００３１】
前面パネル（14）は、ケーシング（11）の下部空間（S1）を覆う下部パネル（14a）と、ケーシング（11）の上部空間（S3）を覆う上部パネル（14b）と、ケーシング（11）の中間空間（S2）を覆う中間パネル（14c）とによって構成される。更に、下部パネル（14a）の左下側の隅部には、フィルタメンテナンスパネル（14d）が設けられる。前面パネル（14）では、これらのパネル（14a,14b,14c,14d）が、それぞれ個別に取り外し可能に構成される。
【００３２】
天板（13）には、４つのダクト接続口（18）が取り付けられている。具体的に、天板（13）では、前側右寄りに給気接続口（18a）が設けられ、後側右寄りに排気接続口（18b）が設けられ、後側左寄りに外気接続口（18c）が設けられ、前側左寄りに内気接続口（18d）が設けられる。給気接続口（18a）及び内気接続口（18d）は、それぞれダクトを介して室内空間と連通し、排気接続口（18b）及び外気接続口（18c）は、それぞれダクトを介して室外空間と連通する。つまり、調湿装置（10）では、室内空間と繋がる給気接続口（18a）及び内気接続口（18d）が、ケーシング（11）の前側に集約して配置され、室外空間と繋がる排気接続口（18b）及び外気接続口（18c）が、ケーシング（11）の後側に集約して配置される。外気接続口（18c）には室外空気（OA）が吸い込まれ、内気接続口（18d）には、室内空気（RA）が吸い込まれる。給気接続口（18a）からは、室内へ供給空気（SA）が吹き出され、排気接続口（18b）からは、室外へ排出空気（EA）が吹き出される。
【００３３】
〈フレーム構造〉
図２に示すように、ケーシング（11）の内部には、底板（12）の四隅に対応する４本の縦フレーム（支柱部材）（21）が設けられる。これらの縦フレーム（21）は、前側右寄りの第１縦フレーム（21a）と、後側右寄りの第２縦フレーム（21b）と、後側左寄りの第３縦フレーム（21c）と、前側左寄りの第４縦フレーム（21d）とで構成される。各縦フレーム（21）は、ケーシング（11）の高さ方向の中間部よりもやや上側寄りまで垂直に延びている。つまり、ケーシング（11）の内部では、天板（13）から各縦フレーム（21）の上端までの間に底板（12）と直に連結する縦フレームが設けられてない。
【００３４】
各縦フレーム（21）の上部には、水平方向に延びる４本の横フレーム（22）（梁部材）が架橋される。これらの横フレーム（22）は、第１縦フレーム（21a）と第２縦フレーム（21b）との間の第１横フレーム（22a）と、第２縦フレーム（21b）と第３縦フレーム（21c）との間の第２横フレーム（22b）と、第３縦フレーム（21c）と第４縦フレーム（21d）との間の第３横フレーム（22c）と、第４縦フレーム（21d）と第１縦フレーム（21a）との間の第４横フレーム（22d）とで構成される。第２、第３、第４横フレーム（22b,22c,22d）は、対応する各縦フレーム（21）の上端部に連結される。これに対し、第１横フレーム（22a）は、第１及び第２縦フレーム（21a,21b）の上端よりもやや低い部位に連結される。
【００３５】
横フレーム（22）の下側には、水平に延びる３本の中間フレーム（23）が設けられる。これらの中間フレーム（23）は、第１横フレーム（22a）の下側に形成される第１中間フレーム（23a）と、第２横フレーム（22b）の下側に形成される第２中間フレーム（23b）と、第３横フレーム（22c）の下側に形成される第３中間フレーム（23c）とで構成される。
【００３６】
縦フレーム（21）、横フレーム（22）、及び中間フレーム（23）は、調湿装置（10）の構成部品のうち比較的重量が大きな重量物（詳細は後述するダンパ仕切板（45,48）や吸着熱交換器（33a,33b））の荷重が作用して、これらを支持する支持部材を構成している。
【００３７】
〈ケーシングの内部空間〉
図２に示すように、ケーシング（11）の内部は、下部パネル（14a）の背面側に形成される下部空間（S1）と、中間パネル（14c）の背面側に形成される中間空間（S2）と、上部パネル（14b）の背面側に形成される上部空間（S3）とに大別できる。
【００３８】
〈下部空間の構成部品〉
図５及び図６に示すように、下部空間（S1）には、左側面パネル（17）に沿うように下部区画部材（41）が設置される。下部区画部材（41）は、ポリスチレン等の樹脂材料で構成され、上側及び下側が開放された枠状に形成される。下部区画部材（41）は、下部空間（S1）を左右に仕切る下部仕切部（41a）と、第３縦フレーム（21c）に近接して配置される横断面が略矩形状の小径筒部（41b）と、第４縦フレーム（21d）に近接して配置される横断面が略矩形状の大径筒部（41c）とを有している。小径筒部（41b）の内部には、外気流入路（61）が区画される。大径筒部（41c）の内部には、レヒート室（63）が区画される。外気流入路（61）とレヒート室（63）とは、連通口（62）を介して互いに連通する（図６を参照）。
【００３９】
レヒート室（63）には、下部区画部材（41）と一体に形成された上側支持板（41d）が設けられる。上側支持板（41d）は、大径筒部（41c）の左側の内壁に連続し、底板（12）と平行となるように水平な状態で支持される。レヒート室（63）では、上側支持板（41d）の下側に連通口（62）に連続する下部外気流路（63a）が形成され、上側支持板（41d）の上側に下部外気流路（63a）に連続する上部外気流路（63b）が形成される（図３(Ｂ)及び図６を参照）。つまり、レヒート室（63）では、下部外気流路（63a）の流入側から上部外気流路（63b）の流出側に亘って、縦断面が略コの字状（Ｕの字状）の空気流路が形成される。
【００４０】
図６等に示すように、下部外気流路（63a）には、上流側から下流側に向かって順に、虫取りフィルタ（26）、プリーツフィルタ（27）、及びレヒートユニット（28）が設けられる。
【００４１】
虫取りフィルタ（26）は、室外空気中の虫や比較的大きな埃等を捕捉する網状の部材である。プリーツフィルタ（27）は、虫取りフィルタ（26）よりも細かい目を有する空気清浄用のフィルタであり、室外空気中の比較的小さな塵埃を捕捉する。下部区画部材（41）には、上述したフィルタメンテナンスパネル（14d）の背面側にメンテナンス蓋（41e）が設けられる（図５を参照）。メンテナンス蓋（41e）は、虫取りフィルタ（26）及びプリーツフィルタ（27）のメンテナンス口を開閉自在に構成される。即ち、フィルタメンテナンスパネル（14d）を取り外し、次いでメンテナンス蓋（41e）を開放すると、虫取りフィルタ（26）やプリーツフィルタ（27）の前端部がケーシング本体（11a）の外部へ露出される。
【００４２】
レヒートユニット（28）は、枠体（29）と、該枠体（29）の内部に固定されるレヒート熱交換器（35）とを有している。枠体（29）は、一対のサイドステー（29a）と、内壁が斜め下方を向くように一対のサイドステー（29a）に狭持される枠体本体（29b）とを有している。枠体本体（29b）には、斜めに傾斜した開口面（29c）が形成され、この開口面（29c）に沿ってレヒート熱交換器（35）が保持される。レヒート熱交換器（35）は、冷媒によって室外空気を加熱する加熱熱交換器を構成する。
【００４３】
図５に示すように、下部空間（S1）では、その右側の略半分（下部区画部材（41）の外側）に機械室（60）が区画される。機械室（60）では、前面パネル（14）の背面側に電装品箱（90）が設置される。電装品箱（90）には、圧縮機（31）のモータの電源供給回路のプリント基板や、このプリント基板上の回路に電気的に接続するリアクトル等の電装品が収容される。また、機械室（60）には、電装品箱（90）の背面側に圧縮機（31）や四方切換弁（32）が設置される。つまり、前面パネル（14）の下部パネル（14a）を取り外すと、電装品箱（90）がケーシング本体（11a）の外部に露出される。更に電装品箱（90）を外部へ取り出すと、圧縮機（31）や四方切換弁（32）がケーシング本体（11a）の外部へ露出される。
【００４４】
〈中間空間〉
中間空間（S2）には、下側から上側に向かって順に、第１中間区画部材（43）、第２中間区画部材（44）、第３中間区画部材（47）が設けられる。これらの中間区画部材（43,44,47）は、いずれも一体に成型されたポリスチレン等の樹脂部材である。
【００４５】
図７に示すように、第１中間区画部材（43）は、機械室（60）の上側開放部を閉塞している。第１中間区画部材（43）の上面には、矩形状に突設された枠部（43a）と、該枠部（43a）の左右外方に形成される一対の凹溝（43c,43c）とが形成される。枠部（43a）は、第１中間区画部材（43）の前後に亘って形成される。枠部（43a）の内側には、調湿室（66a,66b）で発生した凝縮水を受けるための受水部（43b）が形成される。受水部（43b）は、第１中間区画部材（43）の前後に亘って形成される。受水部（43b）の底面は、水平面よりもやや斜め上方を向くように傾斜している。つまり、受水部（43b）に溜まった水は、傾斜した底面に沿って前方へと導かれる。凹溝（43c,43c）は、枠部（43a）の左右の側壁に沿って前後方向に延びている。
【００４６】
図８に示すように、第２中間区画部材（44）は、第１中間フレーム（23a）と第２中間フレーム（23b）とに支持されながら、第１中間区画部材（43）の上側に所定の間隔を置いて配置される。第２中間区画部材（44）には、第１中間区画部材（43）の各凹溝（43c,43c）に対応する位置に、前後方向に延びる凹溝（44a,44a）が形成される。
【００４７】
一方、図７に示すように、第１中間区画部材（43）と第２中間区画部材（44）との間には、２枚の下側ダンパ仕切板（45）と、１枚の横仕切板（46）とが形成される。２枚の下側ダンパ仕切板（45）及び１枚の横仕切板（46）は、各々の板厚方向が水平となるような、縦置きの配置となっている。２枚の下側ダンパ仕切板（45）は、外気ダンパ仕切板（45a）と排気ダンパ仕切板（45b）とで構成される。
【００４８】
外気ダンパ仕切板（45a）は、その下端部が第１中間区画部材（43）の左側の凹溝（43c）に嵌り込み、その上端部が第２中間区画部材（44）の左側の凹溝（44a）に嵌り込んでいる。排気ダンパ仕切板（45b）は、その下端部が第１中間区画部材（43）の右側の凹溝（43c）に嵌り込み、その上端部が第２中間区画部材（44）の左側の凹溝（44a）に嵌り込んでいる。下側ダンパ仕切板（45）の前端部は、前面パネル（14）の背面側に位置している。つまり、前面パネル（14）を取り外すと、下側ダンパ仕切板（45）の前端部がケーシング本体（11a）の外部へ露出される。前面パネル（14）を取り外した状態では、下側ダンパ仕切板（45）が、各凹溝（43c,44a）に沿って前後に引き出し可能となる。
【００４９】
図３、図７、図８に示すように、外気ダンパ仕切板（45a）の左側には、レヒート室（63）と連通する中間外気流路（64）が前後に延びて形成される。外気ダンパ仕切板（45a）には、前寄りに第１ダンパ（D1）が、後寄りに第２ダンパ（D2）が設けられる。排気ダンパ仕切板（45b）の右側には、中間排気流路（65）が前後に延びて形成される。排気ダンパ仕切板（45b）には、前寄りに第３ダンパ（D3）が、後寄りに第４ダンパ（D4）が設けられる。
【００５０】
図７や図９に示すように、外気ダンパ仕切板（45a）と排気ダンパ仕切板（45b）の間の空間は、横仕切板（46）によって前後に２つの調湿室（66）に仕切られている。これらの調湿室（66）は、前寄りの空間が第１調湿室（66a）を、後寄りの空間が第２調湿室（66b）を構成する。第１調湿室（66a）は、第１ダンパ（D1）及び第３ダンパ（D3）に対応する位置に形成され、第２調湿室（66b）は、第２ダンパ（D2）及び第４ダンパ（D4）に対応する位置に形成される。第１調湿室（66a）及び第２調湿室（66b）は、第２中間区画部材（44）の内部に亘って形成される。
【００５１】
２つの吸着熱交換器（33a,33b）は、第１調湿室（66a）に収容される第１吸着熱交換器（33a）と、第２調湿室（66b）に収容される第２吸着熱交換器（33b）とによって構成されている。これら２つの吸着熱交換器（33a,33b）は、クロスフィン型のフィンアンドチューブ式の熱交換器本体（34）の表面に吸着剤を担持したものであって、本発明の除湿部と加湿部とを構成している。
【００５２】
各吸着熱交換器（33a,33b）の熱交換器本体（34）は、銅製の伝熱管（34a）と、アルミニウム製の多数のフィン（34b）とを有している。伝熱管（34a）は、直管部とＵ字部とが交互に連続して蛇行状に形成される。フィン（34b）は、縦長の板状に形成され、その厚さ方向に伝熱管（34a）の直管部が貫通している。つまり、多数のフィン（34b）は、伝熱管（34a）の直管部の軸方向に沿って平行に配列される。
【００５３】
吸着剤は、多数のフィン（34b）及び伝熱管（34a）の表面に担持されている。吸着剤と空気との界面では、空気中の水分が吸着されるか、または、吸着された水分が空気中へ脱離する（吸着剤が再生される）。吸着剤としては、ゼオライト、シリカゲル、活性炭、親水性の官能基を有する有機高分子材料等が用いられる。また、吸着剤としては、水分を吸着するだけで機能だけなく、水分を吸収する機能を有する材料（いわゆる収着剤）を用いてもよい。
【００５４】
各吸着熱交換器（33a,33b）は、フィン（34b）の短辺側が垂直となり、且つ伝熱管（34a）のＵ字部が左右両側に位置するように、収容室（67）に保持される。
【００５５】
図８に示すように、第３中間区画部材（47）は、第２中間区画部材（44）の上側に積層されている。第３中間区画部材（47）の上面には、左右に幅広の一対の幅広溝（47a,47a）が形成される。これらの幅広溝（47a）には、一対の上側ダンパ仕切板（48）が厚さ方向に嵌合している。これらの上側ダンパ仕切板（48）は、各々の板厚方向が垂直となるような、横置きの配置となっている。上側ダンパ仕切板（48）の前端部は、前面パネル（14）の背面側に位置している。つまり、前面パネル（14）を取り外すと、上側ダンパ仕切板（48）の前端部がケーシング本体（11a）の外部へ露出される。前面パネル（14）を取り外した状態では、上側ダンパ仕切板（48）が、各幅広溝（47a）に沿って前後に引き出し可能となる。
【００５６】
一対の上側ダンパ仕切板（48）は、左寄りの内気ダンパ仕切板（48a）と、右寄りの給気ダンパ仕切板（48b）とで構成される。内気ダンパ仕切板（48a）には、前寄りに第５ダンパ（D5）が、後方寄りに第６ダンパ（D6）が設けられる。給気ダンパ仕切板（48b）には、前寄りに第７ダンパ（D7）が設けられ、後寄りに第８ダンパ（D8）が設けられる。第５ダンパ（D5）及び第７ダンパ（D7）は、第１調湿室（66a）に対応する位置に形成され、第６ダンパ（D6）及び第８ダンパ（D8）は、第２調湿室（66b）に対応する位置に形成される。
【００５７】
第２中間区画部材（44）及び第３中間区画部材（47）の右後側の隅部には、前後に延びる横長の貫通穴がそれぞれ形成され、これらの貫通穴が連続して排気連絡流路（68）を構成する。
【００５８】
中間空間（S2）の左後側の隅部には、第１上部区画部材（51）の外気ダクト部（53）が上下に延びている（図８及び図１０を参照）。外気ダクト部（53）の下端は、下部区画部材（41）の大径筒部（41c）に連続する。また、中間空間（S2）には、第１調湿室（66a）の前側にスペーサ部材（24）が設けられる。スペーサ部材（24）は、第１中間区画部材（43）と第１中間フレーム（23a）との間に所定の間隔を確保するように、両者の間に介設される。
【００５９】
〈上部空間〉
図１０に示すように、上部空間（S3）には、第１上部区画部材（51）、第２上部区画部材（54）、及び第３上部区画部材（80）が設けられる。これらの区画部材（51,54,80）は、いずれも一体に成型されたポリスチレン製の樹脂材料である。上部空間（S3）では、これらの区画部材（51,54,80）によって、４つの上部室（19）が区画される。これらの上部室（19）は、前側右寄りの室内給気室（19a）と、後側右寄りの室外排気室（19b）と、後側左寄りの外気吸込室（19c）と、前側左寄りの内気吸込室（19d）とで構成される。室内給気室（19a）は給気接続口（18a）と連通し、室外排気室（19b）は排気接続口（18b）と連通し、外気吸込室（19c）は外気接続口（18c）と連通し、内気吸込室（19d）は内気接続口（18d）と連通する。室内給気室（19a）には、給気ファンユニット（84）が設けられ、室外排気室（19b）には、排気ファンユニット（87）が設けられる。
【００６０】
第１上部区画部材（51）は、上部空間（S3）の左寄りに設けられる。第１上部区画部材（51）は、左側面パネル（17）に沿ってケーシング（11）の前後両端に亘って形成される左側壁部（52）と、第３縦フレーム（21c）に沿って上下に延びる筒状の外気ダクト部（53）とを有している。外気ダクト部（53）は、上部空間（S3）に配置されて内部に外気吸込室（19c）を区画する大径ダクト部（53a）と、大径ダクト部（53a）の下端から連続するように中間空間（S2）に配置され、大径ダクト部（53a）よりも小径に形成される小径ダクト部（53b）とを有している。
【００６１】
上部空間（S3）では、大径ダクト部（53a）の内部に外気吸込室（19c）が形成され、大径ダクト部（53a）の外方前側に内気吸込室（19d）が形成される。また、上部空間（S3）では、大径ダクト部（53a）の外方下側から前面パネル（14）に亘って上部内気流路（69）が区画される。上部内気流路（69）の上端は、内気吸込室（19d）と連通している。また、上部内気流路（69）には、内気ダンパ仕切板（48a）の第５ダンパ（D5）及び第７ダンパ（D7）が臨んでいる。小径ダクト部（53b）の内部には、外気流入路（61）に繋がるダクト内流路（71）が形成される（図３(Ｂ)を参照）。
【００６２】
第２上部区画部材（54）は、ケーシング（11）の右側面パネル（16）に沿ってケーシング（11）の前後両端に亘って形成される右側壁部（55）と、上部空間（S3）を左右に仕切る中央仕切部（56）と、右側壁部（55）及び中央仕切部（56）の各後端部に連続する後側壁部（57）とを有している。
【００６３】
右側壁部（55）の内側には、台座部（55a）が形成されている。台座部（55a）は、縦断面がＬの字状に形成され、後側壁部（57）から前面パネル（14）側に亘って前後に延びている。台座部（55a）の上端面には、各ファンユニット（84,87）及び第３上部区画部材（80）が前後に案内自在に設置される、第１設置面（55c）が形成される。
【００６４】
右側壁部（55）の前後方向の中間部には、上下に延びる柱状の第１当接部（55b）が形成される。第１当接部（55b）には、その前端に第３上部区画部材（80）の後端部が当接する。また、第１当接部（55b）には、第３上部区画部材（80）に対する当接面にシール材（図示省略）が形成される。
【００６５】
中央仕切部（56）は、垂直な第１縦壁（56a）と、該第１縦壁（56a）の下端から水平に屈曲した横壁（56b）と、該横壁（56b）の右端から垂直に屈曲した第２縦壁（56c）とを有する。中央仕切部（56）の上端面には、各ファンユニット（84,87）及び第３上部区画部材（80）が前後に案内自在に設置される、第２設置面（56d）が形成される。
【００６６】
中央仕切部（56）は、前後に並ぶ外気吸込室（19c）及び内気吸込室（19d）と、前後に並ぶ室外排気室（19b）及び室内給気室（19a）とを、左右に仕切るように、ケーシング（11）の前後に延びる主仕切部を構成している。中央仕切部（56）は、ケーシング（11）に沿った右側壁部（55）及び後側壁部（57）と一体に成型されているため、他の部材と独立して中央仕切部（56）だけを取り外すことはできない。
【００６７】
中央仕切部（56）の前後方向の中間部には、上下に延びる柱状の第２当接部（56e）が形成される。第２当接部（56e）には、その前端に第３上部区画部材（80）の後端部が当接する。また、第２当接部（56e）には、第３上部区画部材（80）に対する当接面にシール材（図示省略）が形成される。
【００６８】
第２上部区画部材（54）では、右側壁部（55）と後側壁部（57）との間の隅部と、中央仕切部（56）と後側壁部（57）との間の隅部に、それぞれ挿通部（58）が形成される。各挿通部（58）には、それぞれ補強リブ（75）が挿通される。各補強リブ（75）の上端は、ケーシング（11）の天板（13）に固定される。これらの補強リブ（75）は、排気ファンユニット（87）が固定されて支持される取付部材を構成している。
【００６９】
第２上部区画部材（54）には、排気ファンユニット（87）の下側に横仕切部（59）が一体に形成される（図４(Ａ)）。上部空間（S3）では、この横仕切部（59）の上側に室外排気室（19b）が区画され、横仕切部（59）の下側から前面パネル（14）に亘って上部給気流路（70）が区画される。室外排気室（19b）は、図８に示す排気連絡流路（68）と連通している。上部給気流路（70）の上端は、室内給気室（19a）と連通している。また、上部給気流路（70）には、給気ダンパ仕切板（48b）の第６ダンパ（D6）及び第８ダンパ（D8）が臨んでいる。
【００７０】
図１０に示すように、第３上部区画部材（80）は、第２上部区画部材（54）の右側壁部（55）に沿って形成される第１側板部（81）と、第２上部区画部材（54）の中央仕切部（56）に沿って形成される第２側板部（82）と、第１側板部（81）の後端部と第２側板部（82）の後端部に亘って形成される中間側板部（83）とを有している。つまり、第３上部区画部材（80）は、その横断面形状が、前側に開放部を有する略コの字状（Ｕの字状）に形成される。
【００７１】
第３上部区画部材（80）は、各側板部（81,82）の下端が第２上部区画部材（54）の各設置面（55c,56d）にそれぞれ設置され、且つ中間側板部（83）の左右両端部が第２上部区画部材（54）の各当接部（55b,56e）に当接するように配置される。このように第３上部区画部材（80）を配置すると、右側壁部（55）と中央仕切部（56）との間の空間が、前後に２つの空間（即ち、室内給気室（19a）及び室外排気室（19b））に仕切られる。第３上部区画部材（80）は、室内給気室（19a）及び室外排気室（19b）を前後に仕切るようにケーシング（11）に着脱自在に取り付けられる給排気仕切部を構成している。
【００７２】
給気ファンユニット（84）は、給気ファン（85）と、この給気ファン（85）を支持するための給気側取付板（86）とによって構成される。給気ファン（85）は、遠心型の多翼ファン（いわゆるシロッコファン）である。給気側取付板（86）は、給気ファン（85）のモータが取り付けられる本体部（86a）と、本体部（86a）の左右側方に形成される側板部（86b）と、本体部（86a）の上側に形成される上板部（86c）とで構成される。給気側取付板（86）の各側板部（86b）は、第２上部区画部材（54）の各設置面（55c,56d）に設置される。また、給気側取付板（86）のうち右側の側板部（86b）と上板部（86c）とは、上述した前面パネル（14）（図１を参照）にビス等の締結部材を介して固定される。
【００７３】
排気ファンユニット（87）は、排気ファン（88）と、この排気ファン（88）を支持するための排気側取付板（89）とによって構成される。排気ファン（88）は、遠心型の多翼ファン（いわゆるシロッコファン）である。排気側取付板（89）は、排気ファン（88）のモータが取り付けられる本体部（89a）と、該本体部（89a）の左右側方に形成される側板部（89b）とで構成される。排気側取付板（89）の各側板部（89b）は、第２上部区画部材（54）の各設置面（55c,56d）に設置される。また、これらの側板部（89b）は、上述した補強リブ（75）を介して天板（13）に固定される。
【００７４】
〈冷媒回路の構成〉
調湿装置（10）は、上述した圧縮機（31）や２つの吸着熱交換器（33a,33b）が接続される冷媒回路（30）を備えている。この冷媒回路（30）の構成について、図１１を参照しながら説明する。
【００７５】
冷媒回路（30）は、冷媒配管が接続された閉回路であり、内部に冷媒が充填される。冷媒回路（30）では、冷媒が循環して蒸気圧縮式の冷凍サイクルが行われる。冷媒回路（30）には、圧縮機（31）と、四方切換弁（32）と、第１吸着熱交換器（33a）と、第２吸着熱交換器（33b）とが接続されている。
【００７６】
圧縮機（31）は、いわゆるインバータ制御によって容量（運転周波数）が可変に構成されている。
【００７７】
四方切換弁（32）は、２つの吸着熱交換器（33a,33b）の間で吸着動作と再生動作とが交互に行われるように、冷媒回路（30）の冷媒の循環方向を切り換えるものであって、本発明の切換機構を構成している。この四方切換弁（32）は、第１から第４までのポートを有し、これらのポートの連通状態を切換可能に構成される。四方切換弁（32）の第１ポートは、圧縮機（31）の吐出管（31a）に接続し、四方切換弁（32）の第３ポートは、圧縮機（31）の吸入管（31b）に接続している。四方切換弁（32）の第２ポートは、第１吸着熱交換器（33a）のガス側端部に接続し、四方切換弁（32）の第４ポートは、第２吸着熱交換器（33b）のガス側端部に接続している。四方切換弁（32）は、第１ポートと第４ポートとを連通させて第２ポートと第３ポートとを連通させる状態（図１１の実線で示す第１状態）と、第１ポートと第２ポートとを連通させて第３ポートと第４ポートとを連通させる状態（図１１の破線で示す第２状態）とに切換可能に構成される。
【００７８】
冷媒回路（30）には、四方切換弁（32）によって冷媒の循環方向が切り換わっても、冷媒が一方向に流れる一方向回路（36）が設けられる。この一方向回路（36）には、４つの逆止弁（CV-1,CV-2,CV-3,CV-4）がブリッジ状に接続されたブリッジ回路（36a）と、ブリッジ回路（36a）の流入端と流出端との間に並列に接続された、主回路（36b）及びレヒート回路（36c）が設けられる。
【００７９】
ブリッジ回路（36a）の各逆止弁（CV-1,CV-2,CV-3,CV-4）は、図１１の矢印の方向の冷媒の流れを許容し、これとは逆方向の冷媒の流れを禁止する。ブリッジ回路（36a）では、第１逆止弁（CV-1）と第２逆止弁（CV-2）との間に第１吸着熱交換器（33a）の液側端部が接続し、第３逆止弁（CV-3）と第４逆止弁（CV-4）との間に第２吸着熱交換器（33b）の液側端部が接続している。第１逆止弁（CV-1）及び第３逆止弁（CV-3）の合流部と、第２逆止弁（CV-2）及び第４逆止弁（CV-4）の分流部との間には、主回路（36b）とレヒート回路（36c）とが並列に接続されている。主回路（36b）には、主膨張弁（37）が接続されている。レヒート回路（36c）には、上流側にレヒート熱交換器（35）が、下流側にレヒート側膨張弁（38）が接続される。主膨張弁（37）及びレヒート側膨張弁（38）は、開度が可変な電動式の流量調節弁であり、例えば電子膨張弁で構成される。
【００８０】
〈コントローラとセンサ〉
図１１に示すように、調湿装置（10）は、コントローラ（150）を備えている。コントローラ（150）は、調湿装置（10）の各運転（除湿運転、加湿運転、換気運転、調湿運転）を制御するものであって、本発明の制御部を構成している。具体的に、コントローラ（150）は、リモコン（100）に設定された内容や各センサの検出値に応じて、圧縮機（31）の運転容量や各膨張弁（37,38）の開度を調節し、さらに、各ダンパ（D1〜D8）の開閉状態や、各ファン（85,88）の運転風量を調節するように構成されている。
【００８１】
図３の（Ｂ）に示すように、調湿装置（10）は、センサとして、内気湿度センサ（91）と、外気湿度センサ（92）と、第１外気温度センサ（93）と、第２外気温度センサ（94）とを備えている。内気湿度センサ（91）は、上部内気流路（69）に配置されている。内気湿度センサ（91）は、内気吸込室（19d）に取り込まれた室内空気（RA）の相対湿度を検出する。外気湿度センサ（92）及び第１外気温度センサ（93）は、下部外気流路（63a）において、フィルタ（26,27）とレヒート熱交換器（35）の間に配置される。外気湿度センサ（92）は、レヒート熱交換器（35）の上流側の室外空気（OA）の相対湿度を検出し、第１外気温度センサ（93）は、レヒート熱交換器（35）の上流側の室外空気（OA）の温度を検出する。第２外気温度センサ（94）は、下部外気流路（63a）において、レヒート熱交換器（35）の下流側に配置される。第２外気温度センサ（94）は、レヒート熱交換器（35）の下流側の室外空気（OA）の温度を検出する。
【００８２】
〈リモコン〉
図１１に示すように、調湿装置（10）は、リモコン（100）を備えている。リモコン（100）は、コントローラ（150）に伝送線を介して接続されたワイヤードリモコンであって、コントローラ（150）との間で信号を送受信して調湿装置（10）を遠隔操作するように構成されている。
【００８３】
図１２に示すように、このリモコン（100）は、液晶表示部（110）と設定部（120）とを備えている。
【００８４】
液晶表示部（110）は、調湿装置（10）の運転状態やユーザ設定された内容を表示するものであって、リモコン（100）の前面において上半分に設けられている。
【００８５】
設定部（120）は、リモコン（100）の前面において下半分に設けられ、ユーザーが操作する各種の設定ボタン（121〜125）が配置されている。具体的に、設定部（120）の中央部には、ドーナツ状のカーソルボタン（121）が配置され、そのカーソルボタン（121）の内側には、メニュー／確定ボタン（122）が配置されている。また、カーソルボタン（121）の周囲には、左上に運転切換ボタン（123）、左下にしつどボタン（124）、右上に運転／停止ボタン（125）、右下にキャンセルボタン（126）がそれぞれ配置されている。
【００８６】
運転切換ボタン（123）は、調湿装置（10）の運転内容を設定するためのボタンであって、ユーザが押す毎に、運転内容が、換気運転、除湿運転、加湿運転、調湿運転の順に周期的に切り換わるように構成されている。この運転切換ボタン（123）によって設定され
た運転内容は、液晶表示部（110）において左上に表示される。
【００８７】
しつどボタン（124）は、調湿運転の目標湿度範囲を設定するためのボタンである。このしつどボタン（124）は、ユーザが複数の湿度範囲の中から１つを選択して目標湿度範囲を設定するように構成され、具体的には、ユーザが押す毎に複数の湿度範囲が順に周期的に切り換わるサイクリックボタンである。
【００８８】
上記複数の湿度範囲は、リモコン（100）内部の記憶部（図示省略）に記憶されている。本実施形態では、記憶部に、図１３に示す３つの湿度範囲Ａ、Ｂ、Ｃが記憶されている。湿度範囲Ｃは、快適性が最も高い湿度範囲を含むように上限値と下限値がそれぞれ設定されている。そして、湿度範囲Ｂは、湿度範囲Ｃよりも上限値が高くて下限値が低く、さらに、湿度範囲Ａは、湿度範囲Ｂよりも上限値が高くて下限値が低くなるように設定されている。
【００８９】
これら３つの湿度範囲の内、目標湿度範囲として湿度範囲Ａが選択されると、液晶表示部（110）の中央部には「強」と表示され、湿度範囲Ｂが選択されると「標準」と表示され、湿度範囲Ｃが選択されると「弱」と表示される。
【００９０】
−運転動作−
次に、調湿装置（10）の運転動作について図面を参照しながら順に説明する。この調湿装置（10）では、除湿運転と、加湿運転と、換気運転と、調湿運転とが選択可能になっている。
【００９１】
〈除湿運転〉
除湿運転は、室内を除湿する運転であって、主に、湿度が高い夏場に行われる。この除湿運転は、運転開始前に、ユーザがリモコン（100）の運転切換ボタン（123）を押すことで「除湿運転」が設定され、さらに、ユーザがカーソルボタン（121）を押すことで目標湿度が設定される。その後、ユーザが運転／停止ボタン（125）を押すと、除湿運転が開始される。
【００９２】
除湿運転中の調湿装置（10）では、第１動作と第２動作が所定の時間間隔で交互に繰り返される。
【００９３】
まず、除湿運転時の第１動作について説明する。
【００９４】
第１動作中、図１１に示す冷媒回路（30）では、四方切換弁（32）が第１状態に設定され、レヒート側膨張弁（38）がほぼ全閉に近い状態となり、主膨張弁（37）が所定の開度で開放される。そして、圧縮機（31）が運転されると、圧縮機（31）で圧縮された冷媒が第２吸着熱交換器（33b）で凝縮（放熱）し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過した後、第１吸着熱交換器（33a）で蒸発し、圧縮機（31）に吸入される。このように、第１動作では、第１吸着熱交換器（33a）が蒸発器として機能し、第２吸着熱交換器（33b）が凝縮器として機能する。
【００９５】
図１４及び図１５に示すように、第１動作中、給気ファン（85）と排気ファン（88）とが稼動する。そして、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となる。
【００９６】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。尚、除湿運転では、レヒート回路（36c）に冷媒が供給されないため、レヒート熱交換器（35）では、空気が加熱されることがない。
【００９７】
レヒート熱交換器（35）を通過した空気は、上部外気流路（63b）、中間外気流路（64）、第１ダンパ（D1）を順に流れ、第１吸着熱交換器（33a）を通過する。第１吸着熱交換器（33a）では、空気中の水分が吸着剤に吸着され、空気が除湿される。つまり、第１吸着熱交換器（33a）では吸着動作が行われる。その後、第１吸着熱交換器（33a）で除湿された空気は、第７ダンパ（D7）、上部給気流路（70）、室内給気室（19a）を順に流れ、ダクトを経由して室内空間へ供給空気（SA）として供給される。
【００９８】
一方、排気ファン（88）を運転すると、室内空気（RA）が室内側のダクトを経由して内気吸込室（19d）へ取り込まれ、上部内気流路（69）、第６ダンパ（D6）を順に流れ、第２吸着熱交換器（33b）を通過する。第２吸着熱交換器（33b）では、吸着剤から空気中へ水分が脱離し、吸着剤が再生される。つまり、第２吸着熱交換器（33b）では再生動作が行われる。その後、第２吸着熱交換器（33b）の吸着剤の再生に用いられた空気は、第４ダンパ（D4）、中間排気流路（65）、排気連絡流路（68）、室外排気室（19b）を順に流れ、ダクトを経由して室外空間へ排出空気（EA）として排出される。
【００９９】
次に、除湿運転時の第２動作について説明する。
【０１００】
第２動作中、図１１に示す冷媒回路（30）では、四方切換弁（32）が第２状態に設定され、レヒート側膨張弁（38）がほぼ全閉に近い状態となり、主膨張弁（37）が所定の開度で開放される。そして、圧縮機（31）が運転されると、圧縮機（31）で圧縮された冷媒が第１吸着熱交換器（33a）で凝縮（放熱）し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過した後、第２吸着熱交換器（33b）で蒸発し、圧縮機（31）に吸入される。このように、第２動作では、第１吸着熱交換器（33a）が凝縮器として機能し、第２吸着熱交換器（33b）が蒸発器として機能する。
【０１０１】
図１６及び図１７に示すように、第２動作中、給気ファン（85）と排気ファン（88）とが稼動する。そして、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となる。
【０１０２】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。尚、除湿運転では、レヒート回路（36c）に冷媒が供給されないため、レヒート熱交換器（35）では、空気が加熱されることがない。
【０１０３】
レヒート熱交換器（35）を通過した空気は、上部外気流路（63b）、中間外気流路（64）、第２ダンパ（D2）を順に流れ、第２吸着熱交換器（33b）を通過する。第２吸着熱交換器（33b）では、空気中の水分が吸着剤に吸着され、空気が除湿される。つまり、第２吸着熱交換器（33b）では吸着動作が行われる。その後、第２吸着熱交換器（33b）で除湿された空気は、第８ダンパ（D8）、上部給気流路（70）、室内給気室（19a）を順に流れ、ダクトを経由して室内空間へ供給空気（SA）として供給される。
【０１０４】
一方、排気ファン（88）を運転すると、室内空気（RA）が室内側のダクトを経由して内気吸込室（19d）へ取り込まれ、上部内気流路（69）、第５ダンパ（D5）を順に流れ、第１吸着熱交換器（33a）を通過する。第１吸着熱交換器（33a）では、吸着剤から空気中へ水分が脱離し、吸着剤が再生される。つまり、第１吸着熱交換器（33a）では再生動作が行われる。その後、第１吸着熱交換器（33a）の吸着剤の再生に用いられた空気は、第３ダンパ（D3）を通過し、中間排気流路（65）、排気連絡流路（68）、室外排気室（19b）を順に流れ、ダクトを経由して室外空間へ排出空気（EA）として排出される。
【０１０５】
〈加湿運転〉
加湿運転は、室内を加湿する運転であって、主に、湿度が低い冬場に行われる。この加湿運転は、運転開始前に、ユーザがリモコン（100）の運転切換ボタン（123）を押すことで「加湿運転」が設定され、さらに、ユーザがカーソルボタン（121）を押すことで目標湿度が設定される。その後、ユーザが運転／停止ボタン（125）を押すと、加湿運転が開始される。
【０１０６】
加湿運転中の調湿装置（10）では、第１動作と第２動作が所定の時間間隔で交互に繰り返される。
【０１０７】
まず、加湿運転時の第１動作について説明する。
【０１０８】
第１動作中、図１１に示す冷媒回路（30）では、四方切換弁（32）が第２状態に設定され、主膨張弁（37）が閉状態となり、レヒート側膨張弁（38）が所定の開度で開放される。そして、圧縮機（31）が運転されると、圧縮機（31）で圧縮された冷媒が第１吸着熱交換器（33a）で凝縮（放熱）し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第２吸着熱交換器（33b）で蒸発し、圧縮機（31）に吸入される。このように、第１動作では、第１吸着熱交換器（33a）が凝縮器として機能し、第２吸着熱交換器（33b）が蒸発器として機能する。
【０１０９】
図１４及び図１５に示すように、第１動作中、給気ファン（85）と排気ファン（88）とが稼動する。そして、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となる。
【０１１０】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１１１】
レヒート熱交換器（35）で加熱された空気は、上部外気流路（63b）、中間外気流路（64）、第１ダンパ（D1）を順に流れ、第１吸着熱交換器（33a）を通過する。第１吸着熱交換器（33a）では、吸着剤から空気中へ水分が脱離して吸着剤を再生しつつ、空気が加湿される。つまり、第１吸着熱交換器（33a）では再生動作が行われる。その後、第１吸着熱交換器（33a）で加湿された空気は、第７ダンパ（D7）、上部給気流路（70）、室内給気室（19a）を順に流れ、ダクトを経由して室内空間へ供給空気（SA）として供給される。
【０１１２】
一方、排気ファン（88）を運転すると、室内空気（RA）が室内側のダクトを経由して内気吸込室（19d）へ取り込まれ、上部内気流路（69）、第６ダンパ（D6）を順に流れ、第２吸着熱交換器（33b）を通過する。第２吸着熱交換器（33b）では、空気中の水分が吸着剤に吸着される。つまり、第２吸着熱交換器（33b）では吸着動作が行われる。その後、第２吸着熱交換器（33b）の吸着剤へ水分を付与した空気は、第４ダンパ（D4）、中間排気流路（65）、排気連絡流路（68）、室外排気室（19b）を順に流れ、ダクトを経由して室外空間へ排出空気（EA）として排出される。
【０１１３】
次に、加湿運転時の第２動作について説明する。
【０１１４】
第２動作中、図１１に示す冷媒回路（30）では、四方切換弁（32）が第１状態に設定され、主膨張弁（37）が閉状態となり、レヒート側膨張弁（38）が所定の開度で開放される。そして、圧縮機（31）が運転されると、圧縮機（31）で圧縮された冷媒が第２吸着熱交換器（33b）で凝縮（放熱）し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第１吸着熱交換器（33a）で蒸発し、圧縮機（31）に吸入される。このように、第２動作では、第１吸着熱交換器（33a）が蒸発器として機能し、第２吸着熱交換器（33b）が凝縮器として機能する。
【０１１５】
図１６及び図１７に示すように、第２動作中、給気ファン（85）と排気ファン（88）とが稼動する。そして、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となる。
【０１１６】
給気ファン（85）を運転すると、室外空気（OA）がダクトを経由して外気吸込室（19c）へ取り込まれ、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１１７】
レヒート熱交換器（35）で加熱された空気は、上部外気流路（63b）、中間外気流路（64）、第２ダンパ（D2）を順に流れ、第２吸着熱交換器（33b）を通過する。第２吸着熱交換器（33b）では、吸着剤から空気中へ水分が脱離して吸着剤を再生しつつ、空気が加湿される。つまり、第２吸着熱交換器（33b）では再生動作が行われる。その後、第２吸着熱交換器（33b）で加湿された空気は、第８ダンパ（D8）、上部給気流路（70）、室内給気室（19a）を順に流れ、ダクトを経由して室内空間へ供給空気（SA）として供給される。
【０１１８】
一方、排気ファン（88）を運転すると、室内空気（RA）が室内側のダクトを経由して内気吸込室（19d）へ取り込まれ、上部内気流路（69）、第５ダンパ（D5）を順に流れ、第１吸着熱交換器（33a）を通過する。第１吸着熱交換器（33a）では、空気中の水分が吸着剤に吸着される。つまり、第１吸着熱交換器（33a）では吸着動作が行われる。その後、第１吸着熱交換器（33a）の吸着剤へ水分を付与した空気は、第３ダンパ（D3）、中間排気流路（65）、排気連絡流路（68）、室外排気室（19b）を順に流れ、ダクトを経由して室外空間へ排出空気（EA）として排出される。
【０１１９】
〈換気運転〉
換気運転は、室外空気（OA）をそのまま室内へ供給すると同時に、室内空気（RA）をそのまま室外へ排出して室内を換気する運転である。この換気運転は、運転開始前に、ユーザがリモコン（100）の運転切換ボタン（123）を押すことで「換気運転」が設定される。その後、ユーザが運転／停止ボタン（125）を押すと、換気運転が開始される。
【０１２０】
換気運転では、冷媒回路（30）の圧縮機（31）を停止した状態で、第１動作と第２動作が所定の時間間隔で交互に繰り返される。
【０１２１】
換気運転の第１動作では、除湿運転の第１動作や加湿運転の第１動作と同様の空気流れが形成され、換気運転の第２動作では、除湿運転の第２動作や加湿運転の第２動作と同様の空気流れが形成される。そして、各動作時に、ダクトを経由して外気吸込室（19c）へ取り込まれた室外空気（OA）は、調湿装置（10）内の各部を通過した後、室内給気室（19a）から室内空間へ供給空気（SA）として供給される。一方、室内側のダクトを経由して内気吸込室（19d）へ取り込まれた室内空気（RA）は、調湿装置（10）内の各部を通過した後、室外排気室（19b）から室外空間へ排出空気（EA）として排出される。
【０１２２】
〈調湿運転〉
調湿運転は、室内を除湿する除湿動作と室内を加湿する加湿動作を選択的に実行する運転である。この調湿運転は、運転開始前に、ユーザがリモコン（100）の運転切換ボタン（123）を押すことで「調湿運転」が設定される。さらに、ユーザがしつどボタン（124）を押して、複数（この場合、３つ）の湿度範囲の中から１つを選択することで、目標湿度範囲が設定される。その後、ユーザが運転／停止ボタン（125）を押すと、調湿運転が開始される。
【０１２３】
図１８に示すように、調湿運転では、室内の湿度が目標湿度範囲の上限値よりも低く下限値よりも高い間は、各動作（除湿動作と加湿動作）が停止されている。そして、室内の湿度が目標湿度範囲の上限値よりも高くなると、除湿動作が開始される。除湿動作では、目標湿度範囲の上限値が目標湿度になるように、上記除湿運転と同様の動作が行われ、除湿動作中、室内の湿度はその上限値（目標湿度）に維持される。
【０１２４】
さらに、調湿運転では、室内の湿度が目標湿度範囲の下限値よりも低くなると、加湿動作が開始される。加湿動作では、目標湿度範囲の下限値が目標湿度になるように、上記加湿運転と同様の動作が行われ、加湿動作中、室内の湿度はその下限値（目標湿度）に維持される。
【０１２５】
このように、調湿運転では、除湿動作と加湿動作とが選択的に行われ、室内の湿度が目標湿度範囲内（上限値と下限値の間）に制御される。
【０１２６】
例えば、図１３に示す３つの湿度範囲の内、湿度幅の最も広い（上限値と下限値との差が最も大きい）湿度範囲Ａが目標湿度範囲として設定されると、液晶表示部（110）には「弱」と表示され、運転出力（例えば、圧縮機（31）の出力）の弱い調湿運転が行われる。
【０１２７】
具体的に、湿度範囲Ａが目標湿度範囲に設定された調湿運転では、他の湿度範囲が目標湿度範囲に設定された場合よりも、除湿動作の目標湿度が高くなる。そのため、除湿動作中、室内の湿度と目標湿度との差が小さくなり、室内の湿度を目標湿度にするのに要する運転出力が低くなる。
【０１２８】
さらに、湿度範囲Ａが目標湿度範囲に設定された調湿運転では、他の湿度範囲が目標湿度範囲に設定された場合よりも、加湿動作の目標湿度が低くなる。そのため、加湿動作中、室内の湿度と目標湿度との差が小さくなり、室内の湿度を目標湿度にするのに要する運転出力が低くなる。
【０１２９】
このように、湿度範囲Ａを目標湿度範囲に設定すると、運転出力を低く抑えた省エネモードの調湿運転が行われる。そのため、調湿運転時の消費電力を低減することができる。
【０１３０】
また、３つの湿度範囲の内、湿度幅の最も狭い（上限値と下限値との差が最も小さい）湿度範囲Ｃが目標湿度範囲として設定されると、液晶表示部（110）には「強」と表示され、運転出力（例えば、圧縮機（31）の出力）の強い調湿運転が行われる。
【０１３１】
具体的に、湿度範囲Ｃが目標湿度範囲に設定された調湿運転では、他の湿度範囲が目標湿度範囲に設定された場合よりも、除湿動作の目標湿度が高くなる。そのため、除湿動作中、室内の湿度と目標湿度との差が大きくなって運転出力が大きくなるものの、室内の湿度を低めに維持して室内の快適性を高めることができる。
【０１３２】
さらに、湿度範囲Ｃが目標湿度範囲に設定された調湿運転では、他の湿度範囲が目標湿度範囲に設定された場合よりも、加湿動作の目標湿度が低くなる。そのため、加湿動作中、室内の湿度と目標湿度との差が大きくなって運転出力が大きくなるものの、室内の湿度を高めに維持して室内の快適性を高めることができる。
【０１３３】
また、３つの湿度範囲の内、湿度範囲Ｂが目標湿度範囲として設定されると、液晶表示部（110）には「標準」と表示され、運転出力が湿度範囲Ａの場合よりも強く湿度範囲Ｃの場合よりも弱い調湿運転が行われる。
【０１３４】
−実施形態の効果−
上記実施形態によれば、調湿運転を行う際、ユーザによって目標湿度範囲を設定するようにした。そして、調湿運転中、コントローラ（150）では、室内の湿度が目標湿度範囲の上限値よりも高くなると、その上限値を目標湿度とした除湿動作を実行し、室内の湿度が目標湿度範囲の下限値よりも低くなると、その下限値を目標湿度とした加湿動作を実行するようにした。これにより、調湿運転中にユーザが目標湿度を設定変更することなく、室内の湿度を目標湿度範囲内（上限値と下限値の間）に保つことができ、ユーザの利便性を向上させることができる。
【０１３５】
また、上記実施形態によれば、ユーザが３つの湿度範囲（湿度範囲Ａ、Ｂ、Ｃ）の中から１つを選択して、目標湿度範囲を設定するようにした。そして、ユーザが選択する湿度範囲の湿度幅が広い（湿度範囲の上限値と下限値との差が大きい）程、調湿運転時の運転出力が低くなるようにした。これにより、ユーザは、湿度幅の比較的広い湿度範囲Ａを選択して省エネ性（消費電力の低減）を重視した調湿運転を行うか、湿度幅の比較的狭い湿度範囲Ｃを選択して室内の快適性を重視した調湿運転を行うかを選ぶことができる。
【０１３６】
また、上記実施形態によれば、ユーザによる湿度範囲の選択をサイクリックボタンであるしつどボタン（124）で行うようにした。ユーザによる湿度範囲の選択を、例えば、カーソルボタン（121）で行うと、カーソルボタン（121）を押す毎に目標湿度が高くなる又は低くなることをユーザに連想させてしまい、設定上の誤解を招く虞がある。しかし、上記実施形態では、ユーザによる湿度範囲の選択をサイクリックボタンで行うため、設定上の誤解を回避することができる。
【０１３７】
また、上記実施形態によれば、冷媒回路（30）の冷媒の循環方向を切り換えることによって、冷媒回路（30）に接続された２つの吸着熱交換器（33a,33b）の間で吸着動作と再生動作とを交互に行うようにした。そして、吸着動作中の吸着熱交換器（33a,33b）で除湿された空気を室内へ供給する除湿動作と再生動作中の吸着熱交換器（33a,33b）で加湿された空気を室内へ供給する加湿動作とを選択的に行う調湿運転を行うようにした。これにより、長時間の調湿運転を容易に行うことができ、長時間の調湿運転中でも、ユーザは目標湿度を設定変更することなく、室内の湿度を目標湿度範囲内（上限値と下限値の間）に保つことができる。
【０１３８】
《その他の実施形態》
上記実施形態については、以下のような構成としてもよい。
【０１３９】
上記実施形態では、冷媒回路（30）に接続されて吸着剤が担持された２つの吸着熱交換器（33a,33b）によって、本発明の除湿部と本発明の加湿部とが構成されている。しかし、本発明の除湿部は、空気中の水分を吸着剤に吸着させることによって取り込んだ空気を除湿するものであれば、上記実施形態以外の構成でも構わない。また、本発明の加湿部は、吸着剤から空気中へ水分を脱離させることによって取り込んだ空気を加湿するものであれば、上記実施形態以外の構成でも構わない。
【０１４０】
また、上記実施形態では、室外空気（OA）を除湿（または加湿）して室内へ供給すると共に室内空気（RA）を排出する、いわゆる除湿換気運転（または加湿換気運転）が行われている。しかし、室内を除湿（または加湿）する方法はこれに限らず、例えば、室内空気（RA）を除湿（または加湿）して室内へ戻す、いわゆる除湿循環運転（または加湿循環運転）を行っても構わない。
【０１４１】
また、上記実施形態では、ユーザが３つの湿度範囲の中から１つを選択することで、目標湿度範囲が設定される。しかし、ユーザが選択可能な湿度範囲の数は、これに限るものではない。
【０１４２】
また、上記実施形態では、湿度範囲の湿度幅が広い程（Ａ、Ｂ、Ｃの順に）、湿度範囲の上限値が高く且つ湿度範囲の下限値が低いが、湿度範囲の広さと上限値及び下限値との関係は、これに限るものではない。
【０１４３】
また、上記実施形態では、湿度範囲Ａ、Ｂ、Ｃが順に周期的に切り換わるしつどボタン（124）が、目標湿度範囲の設定に用いられている。しかし、目標湿度範囲を設定するボタンはこれに限らず、例えば、ユーザが押すと湿度幅の最も広い（上限値と下限値との差が最も大きい）湿度範囲Ａが目標湿度範囲に設定される湿度範囲Ａ設定用の専用ボタンを別に設けるようにしても良い。こうすることで、ユーザは、例えば外出時に、室内の防カビ対策等のために、省エネモードの調湿運転をワンタッチで設定することができ、ユーザの利便性を向上させることができる。
【産業上の利用可能性】
【０１４４】
以上説明したように、本発明は、室内を調湿する調湿装置について有用である。
【符号の説明】
【０１４５】
10  調湿装置
30  冷媒回路
32  四方切換弁（切換機構）
33a  第１吸着熱交換器（除湿部、加湿部、吸着熱交換器）
33b  第２吸着熱交換器（除湿部、加湿部、吸着熱交換器）
120  設定部
124  しつどボタン（設定ボタン）
150  制御部（コントローラ）
【手続補正２】
【補正対象書類名】特許請求の範囲
【補正対象項目名】全文
【補正方法】変更
【補正の内容】
【特許請求の範囲】
【請求項１】
空気中の水分を吸着剤に吸着させることによって空気を除湿する除湿部（33a,33b）と、
吸着剤から空気中へ水分を脱離させることによって空気を加湿する加湿部（33a,33b）と、
室内の湿度が目標湿度になるように、上記除湿部（33a,33b）で除湿された空気を室内へ供給する除湿動作と上記加湿部で加湿された空気を室内へ供給する加湿動作とを選択的に行う調湿運転を制御する制御部（150）とを備えた調湿装置であって、
予め定められた複数の湿度範囲の中の一つをユーザが目標湿度範囲に設定するための設定部（120）を備え、
上記制御部（150）は、室内の湿度が上記目標湿度範囲の上限値よりも高くなると、該上限値を目標湿度として除湿動作を行い、室内の湿度が上記目標湿度範囲の下限値よりも低くなると、該下限値を目標湿度として加湿動作を行う
ことを特徴とする調湿装置。
【請求項２】
請求項１において、
上記複数の湿度範囲は、上限値と下限値との差である湿度幅が互いに異なり、上記湿度幅の広い湿度範囲ほど、その上限値が高く且つその下限値が低い
ことを特徴とする調湿装置。
【請求項３】
請求項２において、
上記設定部（120）は、ユーザが押すと上記湿度幅の最も広い湿度範囲が目標湿度範囲に設定される専用ボタンを有している
ことを特徴とする調湿装置。
【請求項４】
請求項１乃至３の何れか１項において、
上記設定部（120）は、ユーザが押す毎に、上記複数の湿度範囲のうち上記目標湿度範囲に設定されるものが順に周期的に切り換わる設定ボタン（124）を有している
ことを特徴とする調湿装置。
【請求項５】
請求項１乃至４の何れか１項において、
上記除湿部（33a,33b）及び加湿部（33a,33b）は、冷凍サイクルを行う冷媒回路（30）に接続されて吸着剤を担持する２つの吸着熱交換器（33a,33b）によって構成され、
上記冷媒回路（30）は、上記２つの吸着熱交換器（33a,33b）で吸着剤の吸着動作と再生動作とが交互に行われるように冷媒の循環方向を切り換える切換機構（32）を有し、
上記制御部（150）は、吸着動作中の上記吸着熱交換器（33a,33b）で除湿された空気を室内へ供給する除湿動作と、再生動作中の上記吸着熱交換器（33a,33b）で加湿された空気を室内へ供給する加湿動作とを選択的に行う調湿運転を制御する
ことを特徴とする調湿装置。